(57)【要約】主に、有線の安全なイヤホンと、複数のスピーカーの複数のスピーカーを備えた、安全なイヤホンと、それぞれ異なる周波数の応答のために異なる周波数応答を使用し、特定の周波数の応答に使用される安全なイヤホンに関連しています。さらに重要なのは、アクティブなノイズ低減周波数の伝送をパッシブなオーディオ信号の伝送に変換し、その後のアクティブな信号の伝送を１０００ミリ秒後に伝送するノイズ低減信号の変換システムを備えている。したがって、人間の体は、長距離での通信の放射から隔離されており、これは、高度な放射線保護を実現し、既存のイヤホンの近くにあるマイクの技術的な問題を解決する。したがって、非常に安全で、耐放射線性に優れ、高音質とノイズ低減機能を備えたイヤホンである。【選択図】図２９
2020521412.tif 000002
【特許請求の範囲】
【請求項１】
以下を含むことを特徴とする安全なイヤホン：
音出口を有する第１の端部を有する音空洞を備えたイヤホンヘッド、
チャンネル開口部を備えた集音空洞を備えた本体、
チャンネル開口部は、音波伝送チャンネルを介して音空洞の第２の端部に接続され、
集音空洞がマイクロスピーカーと音波伝送チャネルの間にあるマイクロスピーカー、
マイクロスピーカは、本体の外側の導体の第１の端部に接続され、導体の第２の端部はプラグに接続され、
マイクは、アクティブなオーディオ信号をパッシブな送信信号に変換し、再びアクティブなオーディオ信号に復元する変換システムとして設定される
ことを特徴とする安全なイヤホン。
【請求項２】
本体には、マイクロスピーカの一方の放音端と音波チャネルスロットの一方の端に気密に接続された２つの端部を有する集音空洞がその中に設けられ、マイクロスピーカの音波を伝送し、
音波伝送チャネルによる集音空洞から音空洞への移動であり、ここで、音空洞には、その上部カバーに音出口および音出口用のスリーブが設けられている
請求項１に記載の安全なイヤホン。
【請求項３】
本体には、マイクが設けられており、本体は、マイクに対応する受音孔を有し、
ここで、本体にはスイッチが設けられており、マイクロスピーカーとマイクロフォンの両方がスイッチに接続され、その後、導体に接続される
請求項１に記載の安全なイヤホン。
【請求項４】
音波伝送チャネルは絶縁材料で作られたチューブであり、音波伝送の内径は１ｍｍから６ｍｍの間、長さは２０ｍｍから８００ｍｍの間、音響空洞の容積は６００ｍｍ３−９０００ｍｍ３であり、ここで、音の出口は、直径Фが１ｍｍから８ｍｍの穴、または各穴の直径Фが０．３ｍｍから３ｍｍの穴がいくつかある
請求項１に記載の安全なイヤホン。
【請求項５】
前記音波伝送チャネルの長さが２０ｍｍ〜０００ｍｍである
請求項１に記載の安全なイヤホン。
【請求項６】
前記集音空洞が逆テーパー形状である
請求項１に記載の安全なイヤホン。
【請求項７】
音響波集中空洞の周囲の２組の斜辺／アーク／曲線のうち、各斜辺は逆円錐形であり、各ペアの斜辺／アーク／曲線によって形成される角度は９°から１３０°である
請求項１に記載の安全なイヤホン。
【請求項８】
前記集音空洞の周囲の２対の斜辺／アーク／曲線縁部の間に少なくとも１ペアの対称性がある
請求項１に記載の安全なイヤホン。
【請求項９】
前記集音空洞の周辺にある２ペアの斜辺／アーク／曲線縁部が非対称である
請求項７に記載の安全なイヤホン。
【請求項１０】
前記逆テーパー形状が以下を指すこと：前記集音空洞の周囲は、ベベルラインによって形成された周囲を有する逆テーパー形状である、または、集音空洞の周囲は逆テーパー形状であり、周囲は弧線によって形成されている、または、集音空洞の周辺は逆周辺テーパー形状であり、周辺は曲線によって形成されている、または、集音空洞の周辺は逆テーパ形状であり、周辺は円弧（または曲線）線と斜角線で一緒に形成される
請求項６に記載の安全なイヤホン。
【請求項１１】
前記集音空洞または前記コーンの底部に平行な断面の前記コーンの断面は、楕円形、円形、長方形、または隣接する多角形であり、弧線によって形成される側面である
請求項６に記載の安全なイヤホン。
【請求項１２】
前記マイクロホンは、前記本体の円形の穴に取り付けられ、その受音面が外側を向き、周囲で密閉されており、前記マイクロホンが前記受音穴を通して音を伝達し、マイクの受音面の前にある受音の小さな穴によって、本体をマイクに接続する
請求項３に記載の安全なイヤホン。
【請求項１３】
前記音波伝送チャネルは、イヤホンヘッドの入口に固定された一端と、前記集音空洞の小端部と、その両端に固定された他端とを有し、音波伝送チャネルは、中空のリベットによって膨らんでおり、音波伝送チャネルは、イヤホンのヘッドの入口とサウンドのスモールエンドに固定される
請求項１に記載の安全なイヤホン。
【請求項１４】
前記音波伝送チャネルは、一端がイヤホンヘッドの入口に挿入され、他端が集音キャビティの出口に挿入され、また、音波伝送チャネルの両端は、締め付けのために外側がジャケットで覆われている
請求項１に記載の安全なイヤホン。
【請求項１５】
前記導体は、金属シールド線を使用して、前記導体を接地させる
請求項１に記載の安全なイヤホン。
【請求項１６】
前記マイクロスピーカの数が１であり、前記集音空洞の数が１であり、前記チャネル開口部の数が１であり、スピーカーは、チャネル開口部の１つに接続された音波伝送チャネルの１つを介して、イヤホンヘッドの１つに伝送される
請求項１に記載の安全なイヤホン。
【請求項１７】
前記マイクロスピーカの数は２であり、前記集音キャビティの数は２であり、一つのマイクロスピーカが一つの集音キャビティの大きい端に対応し、各集音空洞の小さな端には１つのチャネル開口部があり、１つのチャネル開口部は１つの音波伝送チャネルと１つのイヤホンヘッドに対応する
請求項１に記載の安全なイヤホン。
【請求項１８】
前記集音キャビティは、小さな頂部と大きな底部を有する構造である
請求項１に記載の安全なイヤホン。
【請求項１９】
前記マイクロスピーカは、円形または楕円形である
請求項１に記載の安全なイヤホン。
【請求項２０】
前記マイクロスピーカは、前記本体内に垂直または斜めに配置される
請求項１に記載の安全なイヤホン。
【請求項２１】
本体を備えず、集音空洞およびマイクロスピーカをケーシングとして一緒に有し、マイクロフォン、スイッチおよびスイッチを取り付けるための追加の小さなケーシングを備える
請求項１に記載の安全なイヤホン。
【請求項２２】
エアチューブの長さが２０ｍｍに設定されているか、金属製のシールド線のみを使用して放射を防止する
請求項１に記載の安全なイヤホン。
【請求項２３】
１）２０ｍｍから１０００ｍｍの間の任意の長さの空気管に接続された音響空洞を備えた、イヤーヘッドフォン上の安全な空気管、オーディオケーブルは外部的に透明または不透明な金属シールド線の層を使用して接地し、オーディオケーブルはプラグに接続され、もう一方の端はスピーカーに接続され、レシーバーのオーディオケーブルの一方の端もプラグに接続され、もう一方の端は２０の距離に保たれたレシーバーに接続されます拡声器からｍｍ−１００ｍｍ、マイクロホンにはハウジングが設けられている、またはいくつかのマイクロホンと拡声器がハウジングに取り付けられて、請求項１ないし４のいずれかに従って相互の干渉を分離し、
左右に１つのラウドスピーカーハウジング、または２つのラウドスピーカーキャビティを備えた２つのラウドスピーカーハウジングを備え、２つのラウドスピーカーが個別に取り付けられている場合、各ラウドスピーカーのサウンドアウトレットは逆テーパーの集音キャビティの大きな端に一致します形状では、小さな端は空気管の一端に接続され、空気管の他端は音を発生する音空洞に密閉接続され、音空洞は聞くために頭弓の両端に取り付けられ、各スピーカーの放音口とそれに対応する集音キャビティとエアチューブの接合部は密閉され、
２）上記の項目１で説明したオーバーイヤーヘッドフォンのスピーカーはすべてシングルタイプのスピーカーであり、現在のアイテムは片方の耳を聞くために２種類のスピーカーでセットアップされ、ヘッドフォンの２つのスピーカーハウジングは両方とも別々に取り付けられていますそこにもう１つのスピーカーが追加された場合、追加されたスピーカーの周波数応答は元のスピーカーとは異なり、２つのスピーカーハウジングの両方にそれぞれ１つの高周波スピーカーと低音声スピーカーが取り付けられ、さらに１つの音波伝送チャンネルが並列に追加され、２つの受信機の両方の内部にもう１つの音響室を備え、追加されたスピーカー、エアチューブ、および音響室の接続方法は、前記と同じであり、
３）上記の構造に基づいて、エアチューブのないオーバーイヤーヘッドフォンはエアチューブを取り外し、スピーカーを音響空洞に直接取り付け、オーディオケーブルの一端をスピーカーに接続し、他端をスピーカーに接続しますプラグ、レシーバーの導体の一方の端もプラグに接続され、もう一方の端は調整可能な支持ホースまたは金属線によってレシーバーの端点に接続され、採用されたケーブルは外部から透明または１つまたは複数の個別に接地または複数の複合接地を設定することにより、ケーブルを接地する層の不透明な金属シールド線、または音響空洞に異なる周波数応答を持つ２つのスピーカーを設置する
請求項１に記載の安全なイヤホン。
【請求項２４】
１）有線イヤホンのエアチューブを２０ｍｍから１０００ｍｍの長さに設定し、その一方の端を２つの集音キャビティの小さな端の交差部の小さな穴に接続し、１つの可動コイルスピーカーと１つの可動コイルスピーカーを取り付けます鉄製のスピーカー、または集音キャビティの大きな端に異なる周波数応答を持つ１つのスピーカーを設置し、空気管のもう一方の端を音キャビティに接続し、
２）または２つのラウドスピーカーをそれぞれ集音空洞に取り付け、対応する集音空洞の小端から第２段階の集音空洞の大端に音を伝送し、エアチューブの一端に接続され、エアチューブの他端は、リスニングのために対応する耳栓の音腔に接続され、
３）またはモノラルイヤホンには、可動鉄製スピーカーと可動コイルスピーカー、またはそれぞれ異なる周波数応答を持つ１つのスピーカーが装備されており、それぞれが集音キャビティの大きな端に設定され、対応する集音キャビティは空気管の一方の一端に別々に配置され、空気管の他方の平行な端部は、リスニングのために耳栓の各対応する音響空洞に接続され、
または、平らな絶縁ホースの２つの空気管を開き、２種類のスピーカーの音波を耳栓の音腔に送って聴き、または、１つの耳栓に２つの音腔を設定し、１つの音腔の一端と２つの音腔の他端に接続された２つの空気管を耳に入れて聴き、
上記のスピーカーと集音空洞の接続、集音空洞と第２段の集音空洞の接続、集音空洞と空気管の接続、空気管と耳栓の接続はすべて密閉され、可動スピーカーとコイルスピーカーの磁場を金属を介して隔離するか、スピーカーを距離を置いて保持し、
４）上記の設定は、１つの耳を聞くためだけにスピーカーとエアチューブとイヤープラグを備えた構造であり、２つの耳を聞くために用意されている間、スピーカーから耳栓の音響空洞まで構造の２つのグループを設定する必要があり、スピーカーから請求項１ないし２３のいずれかに記載の任意の回路および構造から選択されたプラグへの適切な構造の２つのグループを設定して、デュアル周波数のステレオ有線イヤホンになり、
本構造は、請求項１ないし２３のいずれかに記載の有線イヤホンの構造に基づいて改善され、すなわち、スピーカーから音響空洞までの構造を改善し、プラグに配線されたスピーカーから権利要求１−２３のいずれかの構造を選択し、またはプラグを標準に設定するか、通信デバイスのケーシングのソケットに従って一致を設定し標準プラグは、使用のために通信デバイスに直接差し込まれる
請求項１に記載の安全なイヤホン。
【請求項２５】
耳付きヘッドフォンのノイズリダクションセーフには、左イヤーカップ、左イヤーケーシング、サウンドチャンバーケーシング、右イヤーカップ、右イヤーケーシング、ヘッドバンド、スイッチとそのスイッチハウジング、ノイズ低減伝送アームが装備され、ノイズリダクションコンバーター、ハウジング、スピーカーケーシング、プラグ、ノイズリダクション変換システムを備え、アクティブオーディオ信号からパッシブオーディオ信号に伝送を変換し、オーディオの回路に配線された最初のマイクを設定しますスピーカーを押すためのアンプ、回路は選択されたエアチューブの長さと直径によって決定され、集音キャビティの大きな端はスピーカーの音出口に接続され、小さな端はａの一端にリベットで留められます他端がテーパー形状の音響空洞の小端に接続されたマイクロホン空気管、音響空洞が第２のマイクロホンの受音面に接続された音響端、音響管から空気管を介して第２のマイクロホンの受音面までの音響出口からの接続であり、第２のマイクロフォンの他端は金属シールド線の一端に配線され、その他端はプラグの一端に接続され、他端は通信装置のソケットに接続され、
変換システムのアクティブ部分には、電子回路基板、電源回路とその要素を供給するバッテリー、バッテリーに接続された充電回路と充電ソケット、電源ＬＥＤと電源スイッチ、前述の変換システムはすべてコンバーターに取り付けられ、変換システムのスピーカーは最初のマイクの中央、または左耳ハウジング内の音腔の外側に取り付けられ、
左耳空気管の一端は、音を生成する音響空洞の入口に接続され、一方、他端は、集音空洞の大端が集まる集音空洞の小端に接続され、スピーカーに接続され、そのもう一方の端は金属シールド線に配線され、右耳の空気管の一端は、右耳腔の入口に接続され、右空気管の他端が左耳の空気で金属製ヘッドバンドの外側に沿って左耳ケーシングを通過するときに音を生成しますスピーカーケーシングに平行なチューブで、右耳の集音キャビティの小さな端に接続され、そのもう一方の端は右耳のスピーカーの一端に接続され、右耳のスピーカーのもう一方の端はスイッチを介した金属シールド線の一方の端、金属シールド線がプラグに接続されているもう一方の端、または左右の耳のスピーカー、左右の耳の集音キャビティ、および第２のマイクの両方の取り付け同じ接続方法でのスイッチケーシング、音を生成する音響空洞の出口には、１つまたは複数の穴、前述のスピーカーの対流穴、ケーシングの外側への空気流の排気、マイクロフォン１つはスピーカーから分離され、
３つのエアチューブは並列に並んで結合されているか、すべてが一緒に結合されてその断面が三角形であるか、またはすべてが結合されて外側が柔軟な材料で覆われ、その断面が三角形であり、
または、スピーカーのケーシングから右耳の音の空洞の入口に斜めに引っ張られた右の空気管を設定し、これは金属製のヘッドバンドを通過せず、
または、前述の３本のエアチューブがスイッチケースのＥ側から引き出され、左耳ケースの内側に接続され、
モノラルサーキットとして使用されるイヤヘッドフォンのノイズリダクションセーフは、左右の耳のスピーカーを１つの集音キャビティによって１つの音波伝送チューブに接続された１つのスピーカーにマージし、音波伝送チューブを左のティーの入口に接続します耳の音腔、前述のティーには、ヘッドバンドに沿った１つの音波伝達チューブによって左の耳の音腔に接続された１つの出口を持つ２つの出口があり、
ケーシングの各継ぎ目は、組み立てる際に接着し、防水する必要がある
請求項１に記載の安全なイヤホン。
【請求項２６】
耳モノラルヘッドフォンの安全なノイズリダクションには、ケーシングに取り付けられた柔軟な弓クリップ、弓クリップの終点に取り付けられた円形またはその他の形状のクランプ片、変換システムの回路構造、および接続方法が備わっている請求項２５に記載されているものと同じであり、
マイクロホン空気管の一端はコンバーターの集音空洞の小さい端に接続され、その大きい端はコンバーターのスピーカーの音出口面に接続され、その大きい端はコンバーターのスピーカーの音出口面に接続されますテーパー状の音の空洞の小さな端に接続され、その大きな端は第２マイクの受音面に接続され、第２マイクの他端は金属シールド線の一端に配線されますもう一方の端はプラグに接続され、
左耳のエアチューブの一端は、ケーシング内部で音を生成する音響空洞の入口に接続され、一方、他端は、集音空洞の小さな端に接続され、その大きな端は、スピーカーの一端が金属シールド線の一端に配線され、金属シールド線の他端がプラグに接続され、マイク、左耳スピーカー、および集音キャビティは音を分離するためのセパレータである
請求項２５に記載の耳モノラルヘッドフォンに対するノイズリダクションセーフ。
【請求項２７】
ノイズリダクションの安全なモノラルイヤーフックイヤホンには、スリーインワンブラケット本体が付属し、
本体にはイヤーフックが設けられており、その前面は、その端部に変換システムを有する騒音低減伝達アームであり、本体には、音管を備えたイヤープラグが設けられ、エアチューブの一端耳栓の大部分は音響空洞の入口に接続され、もう一方の端はスピーカーが大きな端に取り付けられた集音空洞の小さな端に接続され、スピーカーと第２のマイクは両方とも別々に設置されます相互の音の干渉を避けるためのスピーカーケーシング；変換システムなどの回路接続方法と構造は、請求項２６に記載のものと同じである
請求項１に記載の安全なイヤホン。
【請求項２８】
ポータブルハンドヘルドセーフヘッドセットには、上部にトップカバー付きのレシーバーサウンドキャビティを備えたハンドアームが装備され、サウンドキャビティの一端はエアチューブの一端に接続され、もう一方の端は接続されます集音空洞の小さな端に、集音空洞の大きな端がスピーカーに接続され、スピーカーの接続線とマイクの接続線がスイッチによって金属シールド線に接続され、もう一方はワイヤの端はプラグに接続され、
スイッチは、ポータブルハンドヘルドセーフヘッドセットの中央の側面に設定され、スイッチのボタンは、スピーカーとマイクを切断または接続するリンクの機械的伝達により電気スイッチを操作し、または、スイッチのボタンの上部でマイクロスイッチの長いアームを押し上げてマイクロスイッチを切断または接続し、これにより、アクティブな回路は常に人間の脳から離れ、マイクとスピーカーが取り付けられ、音が本体の下で互いに分離されている２つの空洞では、マイクのワイヤはセパレータを通過した後、接着剤で密封され、本体ケーシングは上下のアセンブリによって分解または組み立てることができ、組み立てるときは、ケーシングを接着して防水する必要がある
請求項１に記載の安全なイヤホン。
【請求項２９】
ノイズリダクションポータブルハンドヘルドセーフヘッドセットの本体の下部には、ノイズリダクションマイク信号変換システムが装備され、アクティブオーディオ信号からパッシブオーディオ信号に伝送を変換し、第１マイクを第２オーディオアンプに接続しますスピーカーを駆動する回路、スピーカーの音出口は集音空洞の大きな端部に接続され、その小さな端部はマイクロフォンエアチューブの一端にリベット留めされ、マイクロフォンエアチューブの他端はテーパー形状の空洞の小端部に接続され、その大端部は第２のマイクロホンの受音面に接続され、マイクロホンの放音口と第２のマイクロホンの受音面との接続は密閉された状態で、第２のマイクのもう一方の端は金属シールド線の一方の端に配線され、そのもう一方の端はプラグに接続され、
変換システムのアクティブ部には、電源回路とその要素に電力を供給するバッテリー、バッテリーと充電ソケットに接続された充電回路、ＬＥＤ、スピーカーと最初のマイクが２つのキャビティに別々に取り付けられています音は本体内部で互いに分離され、最初のマイクのワイヤーはセパレーターを通過した後、接着剤で密封され、
第２のマイクとスピーカーはケーシング内に配置され、サウンドバッフルによって分離され、スピーカーの受音面は集音キャビティの大きな端に接続され、その小さな端はスピーカーエアチューブに接続されます他端が音響空洞の一端に接続され、スピーカーのワイヤが金属シールドワイヤの一端に接続され、その他端がプラグに接続され、
本体のケーシングは上部と下部をシールすることにより分解され、接合面と他の露出した縫い目は接着剤でシールし、組み立てるときに防水する必要がある
請求項２５または２８に記載の騒音低減携帯用ハンドヘルド安全ヘッドセット。
【請求項３０】
ノイズ低減航空用オーバーイヤーセーフヘッドフォンには、革製のヘッドバンド、ステッチスチールヘッドボウ、ヘッドボウ、調整可能なブラケットがネジで固定された構造が備わり、調整可能なブラケットと固定ブラケットは、ロックナットの場合、固定ブラケットはロックピラーを介して左耳ケーシングに接続され、右耳ケーシングは、左耳ケーシングと対称的かつ同じ方法で接続および固定され、
最初のノイズリダクションマイクは、可変ギア付きユニバーサルホースに接続されたノイズリダクションコンバーターケーシングに取り付けられ、左耳と右耳の音腔は耳ケーシングに配置され、右音腔の空気管は左を通過します耳ケーシングと鋼製の弓に沿って右耳ケーシング内の音腔に接続されているか、スピーカーケーシングから右耳ケーシングに斜めに引っ張られてから、その中の音腔に接続され、
ノイズ低減変換システムおよびその他の構造と接続方法は、権利要求２５に記載されているものと同じである
請求項１に記載の安全なイヤホン。
【請求項３１】
異なる周波数応答を備えた３つのスピーカー、異なる応答を備えた３つの音波伝送チャネル、チャネルに接続された音室、および片耳または両耳の音波伝送チャネルのワイヤを個別に提供し、ステレオモデルは、超高音質の安全なイヤホンである
請求項１ないし２４のいずれかに記載の安全なイヤホン。
【請求項３２】
１つまたは２つの耳に対して異なる周波数応答を持つ複数のスピーカーを別々に提供するように設定されたノイズリダクションの安全なイヤホンは、高音質のノイズリダクションの安全なイヤホンである
請求項１ないし２５のいずれかに記載の安全なイヤホン。
【請求項３３】
エアチューブの両端と集音キャビティまたはサウンドキャビティはすべて中空または接着剤またはその他の方法で固定され、エアチューブの形状には、直線形状、部分的な螺旋形状、すべての螺旋形状、または真ん中のスパイラルと両端を真っ直ぐにするか、エアチューブを耳に引っ掛けることができる屈曲部に設定し、屈曲部の終点には、音響空洞を有する耳栓があり、ワイヤーの一部を真っ直ぐにするか、すべてをらせん状にするか、１つのセクションをらせん状にする、１つのセクションをらせん状にする、または１つのセクションをらせん状にし、その両端をまっすぐにする、またはエアチューブをａ耳に引っ掛けることができる曲げ、その後耳に耳栓を入れて聴き、
音の空洞の側面または背面の適切な位置を選択して、空気の対流のために微細な穴を開け、小さな微細な穴のサイズが音量に影響する
請求項１ないし３０のいずれかに記載の安全なイヤホン。
【発明の詳細な説明】
【技術分野】
【０００１】
本発明は、耐放射線性または安全性のイヤホンに関し、特に、携帯電話などの高周波磁場などの強い放射線を伴う通信機器用の耐放射線性イヤホンおよびステレオ放射線耐性イヤホンに関すること。本当に改善された周波数応答を持ち、より良いステレオ効果を生み出すことができるイヤホンにとって、周波数応答は従来のワイヤー制御のイヤホンよりも優れています。
【背景技術】
【０００２】
携帯電話やその他の通信機器に付属しているイヤホンなど、一般的に使用されているイヤホンには、プラグ、ワイヤー、イヤフォンが含まれ、イヤフォンには小型スピーカーが装備されています。携帯電話を直接使用して通話を行うため、携帯電話から発生する超高周波磁場などの有害な放射線は、人々の脳と神経をひどく刺激し、人々の健康に影響を与えます。電波や熱エネルギーなどのさまざまな放射線による人間の脳の損傷。ただし、スピーカーを直接イヤホンのヘッドに取り付けた通常のイヤホンを使用しても、イヤホンヘッドから耳の内側へのＵＨＦワードフィールドなどの放射線を受信することにより、直接脳を損傷する危険を避けることはできません。さらに、内蔵スピーカー自体のイヤホンヘッドには、高さが１６００ガウスの永久磁場があり、これも人間の脳に損傷を与えます。したがって、携帯電話またはそのようなイヤホンを長時間、高頻度で使用すると、頭痛、めまい、しびれなどの症状が生じやすくなります。
【０００３】
特許文献１：特許番号：ＺＬ０２２４４８２８．４、名称：非放射性イヤホンなどの反電磁波放射イヤホンの既存技術が、一方には５−１０  ｃｍの音波チャンネルしかないため、もう一方には金属が備わっていませんシールドされた絶縁ラインは、２ｍＧ（ミリガウス、以下同じ）または２ｍＧ未満の要件を満たしておらず、２ｍＧまたは２ｍＧ未満の制御は、磁場が人体に有害であるためです。スタンフォード大学博士で携帯電話発明者で台湾交通大学のＳｈｉ  Ｍｉｎ教授からのリクエスト。したがって、先行技術のイヤホンは、電磁放射の上記の要件を満たすことができず、音の空洞などがない。したがって、周波数応答は良好ではありません。本発明者が出願した特許文献２：特許番号：２００８１０１６７２２６．５、および名称は安全イヤホンのアプリケーションドキュメント。安全イヤホンの５つの発明も開示されています。放射保護を実現し、音質を改善する方法が開示されています。この方法は、世界９か国から特許を取得していますが、この特許の音質は、従来のヘッドフォンの音質を超えていません。この出願は、音質が従来のヘッドフォンの音質を上回り、放射線を防ぐ効果をさらに改善し、放射線のない効果を達成できることを開示しています。
【先行技術文献】
【特許文献】
【０００４】
【特許文献１】中国特許ＺＬ０２２４４８２８．４
【特許文献２】中国特許２００８１０１６７２２６．５
【発明の概要】
【０００５】
したがって、人々は、電磁放射を防止し、より良い周波数応答を有し、より良いステレオ効果を有することができるイヤホン装置を非常に必要としている。
【０００６】
本発明は、有線の安全イヤホンと過安全ヘッドフォンを主に含む安全なイヤホンに関し、異なる周波数応答を有する複数のスピーカーをそれぞれ２つの耳で使用して聴取するため、周波数応答は特に良好であり、良好である。通常のイヤホン；さらに重要なのは、ノイズリダクションの特別なソリューションを設定することです。これは、アクティブノイズリダクション周波数信号の伝送をパッシブオーディオ信号の伝送に効果的に変換し、その後の伝送に復元するノイズ低減信号変換システムを備えていますエアチューブのパッシブオーディオ伝送の長さを１０００ｍｍにすることができるアクティブオーディオ信号。マイクを近づけたまま金属シールド線を設置するため、人体は通信の放射から遠ざかります。これにより、良好なノイズ低減効果と高度な放射保護、高音質が実現します。既存の耐放射線性イヤホンのマイクをエアチューブの外側に配置する必要があるという技術的な問題を解決します。マイクを離しすぎると、マイクの機能が影響を受け、音量が小さくなるためです。
【０００７】
したがって、本発明は確かに、高強度の放射線保護、高音質、およびノイズ防止を備えた優れた安全なイヤホンです。
【０００８】
安全なイヤホンの特徴とは、
【０００９】
耳栓ヘッド１は、耳栓ヘッド１の内部に形成された音腔体２と、音腔体２の第１の端部の放音口とを含む。
【００１０】
本体（４）には、音波集中空洞（１０）の内部に音波集中空洞１０が設けられている。音波集中空洞１０には通過開口が形成されており、通過口および音波空洞（２）の第２端は音波伝送路（３）を貫通している。
【００１１】
接続済みマイクロスピーカー（５）、音響波集中空洞（１０）は、マイクロスピーカー（５）と音響波伝送チャネル（３）との間に配置される。
【００１２】
小型スピーカ（５）は、本体（４）の外側に位置するワイヤ（８）の第１の端部に接続され、プラグ（９）は、ワイヤ（８）の第２の端部に接続される。
【００１３】
マイクまたはデバイスは、アクティブなオーディオ信号をパッシブな送信信号に変換し、アクティブな信号送信をノイズ低減変換送信システムに復元するように設定されています。
【００１４】
上記のような安全なイヤホン
【００１５】
その特徴は、本体には音波集光器が設けられており、その両端はマイクロスピーカー（５）の発音端の周囲と音波チャンネル開口部の一端に密閉接続されているため、マイクロスピーカー（５）の音波は音響空洞（１０）を通過します。音波伝送路（３）の他端は音空洞（２）に接続され、音空洞には音出口が設けられ、音空洞（２）の音出口にはソフトスリーブが設けられている。
【００１６】
上記のような安全なイヤホンの特徴とは、
【００１７】
本体（４）の内部にはマイク（６）が設置されており、本体（４）にはマイク（６）に対応する収容孔（１３）が設けられている。
【００１８】
スイッチ１２もまた本体（４）に取り付けられている。マイクロスピーカー（５）およびマイクロフォン（６）は両方ともスイッチ１２に接続され、その後、ワイヤ８に接続されている。
【００１９】
上記のような安全なイヤホンの特徴とは、
【００２０】
音波伝送路（３）は、絶縁材料製のチューブであり、音波伝送路３の内径は１〜６ｍｍ、長さは２０〜８００ｍｍである。
【００２１】
音響空洞（２）の容積は６００ｍｍ３−９０００ｍｍ３です。
【００２２】
サウンドアウトレットは穴であり、サウンドアウトレットの直径はφ１−８ｍｍ、またはサウンドアウトレットは複数のホールを含み、各ホールの直径はφ０．３−３ｍｍ。  
【００２３】
上記のような安全なイヤホンの特徴とは、音響波伝送チャネル（３）の長さは２０―１０００  ｍｍです。
【００２４】
上記のような安全なイヤホン
【００２５】
その特徴は、音波集中空洞１０（１０）は、逆ベルマウス形状を有する。
【００２６】
上記のような安全なイヤホン
【００２７】
音響波集中空洞１０の周囲の２組の斜辺または弧または曲線のうち、各斜辺は逆ベル口形状を形成し、１組の斜辺または弧または曲線によって形成される角度は９°から１３０°。
【００２８】
上記のような安全なイヤホン
【００２９】
音波集中空洞１０の周りの斜辺または弧または曲線の２対のうちの少なくとも一方は対称的である。
【００３０】
上記のような安全なイヤホン
【００３１】
音波集中空洞１０の周りの斜線または弧または曲線の２対は非対称である。
【００３２】
上記のような安全なイヤホン
【００３３】
逆ベルマウスの形状とは、音響波集中キャビティ１０の周囲が弧状の逆ベルマウス形状であること、または音響波集中キャビティ１０の周囲が斜めの逆ベル形状であること、または音響波集中キャビティ１０の周囲は、湾曲した逆ベル形状であるか、または音響波集中キャビティ１０の周囲は、円弧形状または曲線の逆ベル形状と斜めの逆ベル形状からなる。
【００３４】
上記のような安全なイヤホン
【００３５】
音波集中空洞１０の椎体の部分または椎体の底面に水平な部分は、楕円形、円形、長方形、または各隣接する２辺が円弧状に移行する多角形である。
【００３６】
上記のような安全なイヤホン
【００３７】
マイク（６）は、本体（４）の円形の穴に設置され、マイクの受信面が外側を向いており、周囲が密閉されているため、音は本体（４）の受信穴を通過した後、マイクの前面を通過します。表面収容穴は、さらにマイクロホン（６）に伝達される。
【００３８】
上記のような安全なイヤホン
【００３９】
音波伝送路（３）の一端は耳栓ヘッドの入力端に設置され、他端は音波集中空洞の小端に設置され、中空のリベット（１７−１）が音波伝送路（３）の端部に挿入されて拡張されます。音波伝送チャネルの両端は、それぞれイヤホンヘッドの入力端と音波コンセントレータの小端に固定され、音波コンセントレータの大端にはミニチュアスピーカーが装備されており、３つの接続は密閉されています。
【００４０】
上記のような安全なイヤホン
【００４１】
その特徴は、音波伝送チャネル（３）の一端は、耳栓ヘッドの入力端にスリーブが付けられ、他端は、音波コンセントレータの出力端にスリーブが付けられている。ソリッドコート（１７−２）。
【００４２】
上記のような安全なイヤホン
【００４３】
ワイヤ（８）は金属シールドされた絶縁ワイヤであり、ワイヤをアースにシールドします。  
【００４４】
上記のような安全なイヤホン
【００４５】
その特徴は、マイクロスピーカー（５）の数は１つ、音響波集中空洞（１０）の数は１つ、チャネルポートの数は１つである。マイクロスピーカー（５）から放出された音は、チャネルポートに接続された音波伝送チャネル（３）の１つに送られる。耳栓の１つ。
【００４６】
上記のような安全なイヤホン
【００４７】
その特徴は、マイクロスピーカ（５）の数は２であり、音波集中空洞（１０）の数は２であり、マイクロスピーカの１つは、音波集中空洞の１つの大端部に対応する。各音波集中空洞（１０）の小端部にチャネルポートを設置され、１つの前記チャネルポートは、１つの音響波伝送チャネルと１つの前記耳栓ヘッドに対応する。
【００４８】
上記のような安全なイヤホン
【００４９】
その特徴は、音響波集中空洞（１０）は、上が小さくて下が大きい構造になっている。
【００５０】
上記のような安全なイヤホン
【００５１】
その特徴は、小型スピーカー５は円形または楕円形である。
【００５２】
上記のような安全なイヤホン
【００５３】
その特徴は、小型スピーカ（５）は、本体４（４）内に垂直または斜めに配置されている。
【００５４】
上記のような安全なイヤホン
【００５５】
その特徴は、本体を使用しない場合、音響コンセントレーターとマイクロスピーカーはシェルとして設定され、マイクとスイッチおよびボリュームコントロールを取り付けるための小さなシェルが提供されます。
【００５６】
上記のような安全なイヤホン
【００５７】
その特徴は、エアダクトを２０ｍｍの長さに設定するか、金属シールドされた絶縁ワイヤを使用して放射を防ぎます。  
【００５８】
上記のような安全なイヤホン
【００５９】
その特徴は、エアダクト付きヘッドマウント型安全イヤホン：両耳に取り付けられたサウンドチャンバーは、エアダクト（８６）および（９２）のいずれかに２０〜１０００ｍｍの長さで接続されます。オーディオワイヤは、透明または不透明の金属シールド絶縁シールドでシールドされます。接地され、一端はプラグ（９８）に接続され、他端はスピーカー８８に接続され、マイク（９６）のオーディオワイヤの一端もプラグ（９８）に接続され、他端はスピーカー（９６）を拾います。マイク（９６）はスピーカー（８８）および（９４）から２０ｍｍ〜００ｍｍの距離に保たれます。マイク（９６）にはケーシング（９６−１）が設けられている。あるいは複数のスピーカーとマイクが１つのハウジングに収容されており、権利要求「１−４」に従って相互干渉を分離しています。
【００６０】
左右のスピーカーシェル、または２つのスピーカーキャビティを備えたスピーカーシェル（８９）および（９５）が設置され、それぞれスピーカー（８８）および（９４）が設置され、各スピーカー音口は音波集束器（８７）および（９３）の大端部に接続される。コンセントレータ（８７）および（９３）は逆ベルマウスであり、小端部は空気ダクト（８６）および（９２）に接続され、空気ダクト（８６）および（９２）の他端はヘッドギアに取り付けられた音響空洞（８５）および（９１）に気密に接続される。弓のフレームの両端は耳に固定されており、各スピーカーの音声口は対応する音波コンセントレーターとエアダクトで密閉されています。
【００６１】
２）上記の最初のヘッドフォンは単一タイプのスピーカーで、このアイテムは２つのタイプのスピーカーの音を聞くために片方の耳を設定します、つまり、上記ヘッドフォンの２つのスピーカー設置ケースが別々に追加されます。  １つのスピーカー（１０６）、（１１２）、追加のスピーカー（１０６）、（１１２）、および元のスピーカー（１０２）、（１１３）の周波数応答は異なります。つまり、高音と低音の１つのスピーカーが２つのスピーカーハウジングに平行な位置で取り付けられています。音波チャンネルが追加され、２つの音響室（１１７）および（１１８）を備えたイヤピース（１０７）と、２つの音響室（１１７−１）および（１１８−１）を備えたイヤホン（９９）が２つのイヤホン（９９）および（１０７）に設けられている。
【００６２】
３）上記の最初のヘッドフォンは単一タイプのスピーカーで、このアイテムは２つのタイプのスピーカーの音を聞くために片方の耳を設定します、つまり、上記ヘッドフォンの２つのスピーカー設置ケースが別々に追加されます。  １つのスピーカー（１０６）、（１１２）、追加のスピーカー（１０６）、（１１２）、および元のスピーカー（１０２）、（１１３）の周波数応答は異なります。つまり、高音と低音の１つのスピーカーが２つのスピーカーハウジングに平行な位置で取り付けられています。音波チャンネルが追加され、２つの音響室（１１７）および（１１８）を備えたイヤピース（１０７）と、２つの音響室（１１７−１）および（１１８−１）を備えたイヤホン（９９）が２つのイヤホン（９９）および（１０７）に設けられている。設置されたスピーカー、エアダクト、音響空洞の接続方法は、権利要求１の接続方法と同じです。
【００６３】
上記のような安全なイヤホン
【００６４】
その特徴は、  １）  外部ワイヤー制御イヤホンの長さ２０−１０００ｍｍのエアダクト（１２７）のオプションセクションの一端を設定して、音波濃縮器（１２９）および（１３２）の小さな端にある２つの小さな穴（１２８）を接続し、２つの音波濃縮器（１２９）を構成します。  （１３２）および（１３２）の大端部にはそれぞれ、ダイナミックコイルスピーカー（１３０）および可動鉄スピーカー（１３３）、または異なる周波数応答を有するスピーカーが装備され、空気ダクト（１２７）の他端は音響空洞（１２５）に接続される。
【００６５】
または、モノラルイヤホンには、１つの可動鉄製スピーカー（１５６）と１つの可動コイルスピーカー（１５３）またはそれぞれに異なる周波数応答を持つ１つのスピーカーが提供され、それぞれが集音キャビティ（１５５）の大きな端に配置されます（  １５２）、対応する集音キャビティ（１５５）（１５２）はエアチューブ（１５１）（１５０）の一方の一端に個別に配置され、エアチューブ（１５１）（１５０）のもう一方の平行端は接続されます  リスニング用の耳栓（１４９）の対応する各音響空洞（１４７）（１４８）。
【００６６】
または、２種類のラウドスピーカー（１５３）の音波を耳栓（１４９）の音響空洞に送信して聞くために、２本のエアチューブ（１５１−１）（１５０−１）を平らな絶縁ホース（１５１−３）に開けます  ；  または、耳栓（１４９）に２つの音腔（１４７）（１４８）を設定し、１つの音腔（１４７）（１４８）の一端と２つの音の他端に接続された２つの空気チューブ（１５１）（１５０）  空洞（１４７）（１４８）を聞くために耳に入れた。  
【００６７】
上記のスピーカーと集音空洞の接続、集音空洞と第２段階の集音空洞の接続、集音空洞と空気管の接続、空気管と耳栓の接続はすべて、  可動スピーカーとコイルスピーカーの磁場を隔離し、金属を介するか、スピーカーを距離を置いて保持します。  
【００６８】
上記の設定は、片方の耳を聞くためだけにスピーカーとエアチューブとイヤープラグを備えた構造で、スピーカーから耳栓の音腔まで構造の２つのグループを設定する必要があります。  ２つのイヤホンには、可動鉄製スピーカー（１６６）（１６７）と可動コイルスピーカー（１６９）（１７８）が別々に用意されており、集音キャビティ（１６５）（１７５）および（１６８）の大きな端に対応して配置されています（１７７）。ここで、対応する集音キャビティ（１６５）（１７５）および（１６８）（１７７）は、エアチューブ（１６３）（１６４）および（１７３）（１７４）の一方の端、および他方の平行な端に別々に配置されますエアチューブ（１６３）（１６４）および（１７３）（１７４）は、耳栓（１６２）の対応する各音腔（１６０）（１６１）および耳栓（１７２）の音腔（１７０）（１７１）に接続されています）リスニング用（図２８のように）、スピーカーから請求項１−２３に記載の任意の回路および構造から選択されたプラグに適切な構造の２つのグループを設定して、デュアル周波数のステレオ有線イヤホンになるように、音質は良好ですが、ステレオサウンドも非常に強力です。    
【００６９】
本請求項の構造は、請求項１−２３の有線イヤホンの構造に基づいて改善され、すなわち、スピーカーから音響空洞までの構造を改善し、プラグに配線されたスピーカーから請求項１−２３のいずれかの構造を選択する。  、またはプラグを標準に設定するか、通信デバイスのケーシングのソケットに従って一致を設定します。  標準プラグは、使用のために通信デバイスに直接差し込まれます。
【００７０】
上記のような安全なイヤホン
【００７１】
その特徴は、ヘッドセットに取り付けられたノイズリダクションイヤホンを使用しており、左耳用の聴覚カバー（１９５）、左耳用のケーシング（１９５−１）、右耳用の聴覚カバー１９４、右耳用のケーシング（１９５−２）、ヘッドバンド（１８５）、スイッチおよびスイッチケーシングを備えています。  （１９１）、ノイズ低減伝送アーム（１９８）、ノイズ低減コンバータ（１９６）、ハウジング（１９５−１）、スピーカーハウジング（１９０）、プラグ（１９３）；ノイズ低減変換システムが提供される：ノイズ低減マイクロホン、およびアクティブオーディオ信号がパッシブオーディオ信号に変換される。送信用に、マイクリード線をセカンダリまたはターシャリオーディオアンプ回路（図３２）に接続して、スピーカーを駆動します。回路は、選択したマイクのエアダクトの長さと直径に応じて選択されます。スピーカー（２０７）と（２０８）の音声口は音波に接続されますマイクロホン（２０５）および（２０６）の大端部、および音響コンセントレータ（２０５）および（２０６）の小端部は、リベットを介してマイクロホン空気ダクト（１８９−１）の一端に接続され、マイクロホン空気ダクト（１８９−１）の他端はホーン口キャビティ（２０３）の小端部に接続される。アクセントキャビティ（２０３）の大端は、セカンダリマイク（２０４）の受信面に接続されています。スピーカーの関節ポートからエアダクトを介したセカンダリマイクの受信面への接続は密閉されています。セカンダリマイクの他端はリード線で接続されています金属シールドワイヤ（１９３）の端部、前記金属シールド分離ライン（１９２）の他端は、プラグ（１９３）の一端に接続され、プラグ（１９３）の他端は、通信装置のコンセントに接続されています。
【００７２】
変換システムのアクティブ部分には、電子回路基板（図３２を参照）、電源回路とその要素を供給するバッテリー、バッテリーに接続された充電回路と充電ソケット、電源ＬＥＤ、電源スイッチが装備されています  、前述の変換システムのアクティブな信号要素はすべてコンバーターに取り付けられ、変換システムのスピーカーは最初のマイクの中央、または左耳ハウジング内の音腔の外側に取り付けられます（図  ３２）。  回路は、マイクエアチューブの長さに応じて回路の増幅電力を変更し、異なるチップと異なる回路を選択できます。
【００７３】
マイクの信号伝送はアクティブ伝送からパッシブ伝送に変換され、再びアクティブ伝送に復元されます。これにより、エアチューブを非常に長く設定でき、マイクは騒音出口を非常に近くに保ち、ノイズ低減を実現します  通信機器の害から耳と脳を非常に強力に保護します。  
【００７４】
図３３のように、左耳のエアチューブ（１８７−１）の一端は、音（２０９−１）を生成する音響空洞の入口に接続され、もう一方の端は、集音空洞（２０５）の大きい方の端部がスピーカ（２０７）に接続され、そのもう一方の端部が金属シールド線（１９２）に配線されている。右耳の空気管（１８８−１）の一端は、右空気管のもう一方の端が船外機に沿って左耳ケーシング（１９５−１）を通過するときに音を出す右音腔の入口に接続されています金属製ヘッドバンド（１８６）の左耳エアチューブ（１８７−１）がスピーカーケーシング（１９０）に平行で、右耳の集音キャビティ（２０６）の小さな端に接続され、そのもう一方の端が右耳スピーカー（２０８）の一端に接続され、右耳スピーカー（２０８）の他端はスイッチ（１９１）を介して金属シールド線（１９２）の一端に配線され、他端は金属シールド線（１９２）をプラグ（１９３）に接続するか、同じ接続方法で左右の耳のスピーカー、左右の耳の音収集キャビティ、およびスイッチケースの２番目のマイクの両方を取り付けます、音を生成する音の空洞の出口には、１つまたは複数の穴、ｔの対流穴があります前述のスピーカーは、ケーシングの外側に空気流を排出し、マイクはスピーカーから隔離されています。
【００７５】
３本の空気管は、並列に並んで結合され（図３３−１）、またはすべてが一緒に結合され、その断面が三角形状（図３３−４）、またはすべてが一緒に結合されて可撓性材料で覆われる。外側とその断面は三角形です。  
【００７６】
または、スピーカーケーシングから右耳音腔の入口まで斜めに引っ張られた右の空気管を設定します。これは、金属製のヘッドバンドを通過していません。    
【００７７】
または、前述の３つの空気管は、スイッチケーシングのＥ側から引き出され、左耳ケーシングの内側に接続される。
【００７８】
モノラル回路として使用される耳のヘッドフォンに対するノイズリダクションセーフは、左右の耳のスピーカーを１つの集音空洞によって１つの音波伝達チューブに接続された１つのスピーカーに統合し、音波伝達チューブをティーの入口に接続する左耳の音の空洞の場合、前述のティーには、左耳の音の空洞の入口に接続された１つの出口と、ヘッドバンドに沿った１つの音波伝達チューブによって左耳の音の空洞に接続された出口があります。
ケーシングの各継ぎ目は、組み立てられるときに接着され、防水されなければならない。  
【００７９】
ケーシングの各継ぎ目は、組み立てる際に接着し、防水する必要があります。
【００８０】
耳モノラルヘッドフォンで安全なノイズリダクション
【００８１】
耳モノラルヘッドフォンのノイズリダクションセーフには、ケーシング（２００−１）に取り付けられた柔軟な弓クリップ（１９９）、弓クリップの終点に取り付けられた円形またはその他の形状のクランプ片２０１が備わっています。変換システムの回路構造と接続方法は、請求項２５に記載のものと同じです。
【００８２】
マイクロホン空気管（２０６）の一端は、変換器の集音空洞の小端に接続され、その大端は、変換器のスピーカーの音声出口面に接続され、  他端はテーパー形状の音響空洞（２０３−１）の小端に接続され、その大端は第２のマイクロホン（２０４−１）の受音面に接続され、  第２のマイクロホン（２０４−１）は、金属シールド線（２０５）の一端に配線され、そのもう一端はプラグ（２０６）に接続されています。
【００８３】
左耳のエアチューブ（２００−１）の一端は、ケーシング（２００−の内部）で音を生成する音響空洞（図３３−２の構造、音響空洞番号：２０９−２）の入口に接続されています。  １）一方、他端は集音空洞（２０５−１）の小端に接続され、その大端はスピーカー（２０７−１）の一端に接続され、スピーカー（２０７−１）の他端は配線されています  金属シールド線（２０５）の一端に、金属シールド線（２０５）の他端がプラグ（２０６）に接続され、マイクロフォン、左耳スピーカーおよび集音キャビティは、セパレーターを使用する。音を分離します。
【００８４】
上記のような安全なイヤホン
【００８５】
その特徴は、ノイズリダクションの安全なモノラルイヤーフックイヤホンにはスリーインワンブラケット本体が備えられ、本体にはイヤーフック（２１１）が備えられ、その前面にはノイズリダクション伝送アーム（  １９８−２）変換システム（１９６−２）を端部に持ち、本体にはその中に音腔のある耳栓（図３３−２の構造、音腔番号２０９−３）があります。  耳栓の空気管（２１２）の端部は音空洞（２０９−３）の入口に接続され、空気管（２１２）のもう一方の端は集音空洞（２１２）の小さな端部に接続されます  −１）スピーカー（２１４−１）を大きな端に取り付け、スピーカー（２１４−１）と２番目のマイク（２１４−２）の両方を、音の干渉を避けるためにスピーカーケーシング（２１４）に別々に取り付けます  お互いに；  回路接続方法および変換システムの構造などは、請求項２６と同じです。
【００８６】
上記のような安全なイヤホン
【００８７】
その特徴は、携帯用ハンドヘルド安全ヘッドセットは、上部に上部カバー（２２８）を備えた受信機音空洞（２１８）を有するハンドアーム（２３０）を備え、音空洞（２１８）の一端は  エアチューブ（２２０）の一端に接続され、エアチューブ（２２０）の他端は集音キャビティ（２２２）の小さな端、集音キャビティ（２２２）の大きな端に接続されます  スピーカー（２２４）に接続され、スピーカー（２２４）の接続線とマイク（２２３）の接続線は、スイッチ（２３１）によって金属シールド線（２２６）に接続され、  ワイヤー（２２６）はプラグ（２２５）に接続されています。    
【００８８】
スイッチ（２３１）は、ポータブルハンドヘルドセーフヘッドセットの中央の側面に設定され、スイッチ（２３１）のボタンは、スピーカー（２２４）を切断または接続するリンクの機械的伝達により電気スイッチを操作します。  マイク（２２３）；  または、スイッチのボタンの上部でマイクロスイッチ（２３３）の長いアーム（２３２）を押し上げて、マイクロスイッチ（２３３）を切断または接続し、アクティブな回路が常に  人間の脳、マイクとスピーカーは、本体の下で音が互いに分離されている２つの空洞に取り付けられ、マイクのワイヤはセパレータを通過した後、接着剤で密封されているため、配置は良好です  抗放射線効果、本体ケーシングは、上下のアセンブリによって分解または組み立てることができます。ケーシングの各縫い目は、組み立てるときに接着して防水する必要があります。
【００８９】
上記のノイズ低減ポータブルハンドヘルドセーフヘッドセットは、通信デバイスを接続するか、固定電話に直接接続して使用できます。
【００９０】
請求項２５および２８に記載のノイズ低減携帯用ハンドヘルド安全ヘッドセット。  
【００９１】
その特徴は、ノイズリダクションポータブルハンドヘルドセーフヘッドセットの本体の下部（２３０−１）にノイズリダクションマイク信号変換システムが装備されていることです：アクティブオーディオ信号からパッシブオーディオ信号への伝送を変換し、設定しますスピーカー（２３８）を駆動するために第２の音声増幅回路に配線された第１のマイクロホン（２３９）、スピーカー（２３８）の音出口は集音空洞（２３６）の大端に接続され、その小端はマイクロフォンエアチューブ（２４０）の一端にリベットで留められ、マイクロフォンエアチューブ（２４０）の他端はテーパー形状の音響空洞（２４３）の小端に接続され、その大端は接続されます第２のマイクロホンの受音面に対して、マイクロホンと第２のマイクロホンの受音面との間の接続がシールされ、第２のマイクロホン（２４３）の他端は、第２のマイクロホンの一端に配線される。金属シールドｗワイヤ（２４５）のもう一方の端はプラグ（２４６）に接続されています。
【００９２】
変換システムのアクティブ部分には、電源回路とその要素に電力を供給するバッテリー、バッテリーと充電ソケットに接続された充電回路、ＬＥＤ、スピーカー（２３８）および第１のマイク（２３９）が別々に取り付けられています  本体（２３０−１）内で音が互いに分離されている２つの空洞では、最初のマイクのワイヤはセパレータを通過した後、接着剤で密封されています。
【００９３】
第２のマイクロホン（２４３）およびスピーカー（２４１）は、ケーシング（２３０−２）内に配置され、音響バッフルによって分離され、スピーカー（２４１）の受音面は、集音器の大きな端部に接続される。  キャビティ（２４２）、その小さい端はスピーカー（２４１）のエアチューブに接続されています。  スピーカーのエアチューブのもう一方の端は、音の空洞（２８１−１）の一方の端に接続されています。  スピーカー（２４１）は、金属シールド線（２４５）の一端に配線され、その他端はプラグ（２４６）に接続されている。  
【００９４】
本体のケーシングは、上部および下部を密閉することにより分解され、接合面および他の露出した継ぎ目は、組み立て時に接着剤および防水で密閉されるべきである。
【００９５】
ノイズ低減ポータブルハンドヘルドセーフヘッドセットは、通信デバイスを接続するか、固定電話に直接接続することで使用できます。
【００９６】
上記のような安全なイヤホン
【００９７】
その特徴は、革製のヘッドバンド、ステッチされたスチール製のヘッドボウ（２４７）、ヘッドボウ（２４７）、および調整可能なブラケット（２５１）がネジで固定された構造のノイズリダクション航空オーバーイヤーセーフヘッドフォンです。  調整可能なブラケット（２５１）と固定ブラケット（２５２）は、セルフロックナットで固定され、固定ブラケット（２５２）はロックピラーを介して左耳ケーシング（２５３）に接続されます。  右耳ケーシング（２５０）は、左耳ケーシング（２５３）と対称的かつ同じ方法で接続および固定されています。
【００９８】
第１の騒音低減マイクは、可変ギア付きのユニバーサルホース（２５５）に接続された騒音低減コンバータケーシング（２５４）に取り付けられ、左耳と右耳の音腔は耳ケーシングに配置され、エアチューブ（２５８）  右耳腔を通過し、右耳ケーシング内の音腔に鋼の弓（２４７）に沿って接続されるか、スピーカーケーシング（２５６）から右耳ケーシングに斜めに引っ張られ、  その中の音腔に、または左右の音腔を別々にエアチューブに接続します（図４２、図４３のように）
【００９９】
ノイズ低減変換システムおよびその他の構造と接続方法は、請求項２５に記載されているものと同じです。
【０１００】
請求項１および２４に記載の安全なイヤホン
【０１０１】
その特徴：異なる周波数応答を持つ３つのスピーカー、異なる応答を持つ３つの音波伝送チャンネル、片耳または両耳用の音波伝送チャンネルのチャンネルとワイヤーに接続された音室、請求項２４に対応する構造２つのイヤホンに可動鉄製スピーカー（１６６）（１７６）と可動コイルスピーカー（１６９）（１７８）が別々に設けられており、それぞれが個別に集音キャビティ（１６５）の大きな端に配置されている（  １７５）および（１７８）（１７７）、集音キャビティ（１６５）（１７５）および（１７８）（１７７）は、エアチューブ（１６３）（１６４）および（１７３）（  １７４）平行端が耳栓（１６２）内の音腔（１６０）（１６１）と耳栓（１７２）内の音腔（１７０）（１７１）に個別に接続され、もう１組のスピーカーを追加します。  ３つの異なる周波数でスピーカーを設定しながら、エアチューブとサウンドチャンバークレーム２４に基づくｎｃｙ応答（図２８）、構造と接続方法はクレーム２４と同じです。
【０１０２】
ステレオモデルは、超高音質の安全なイヤホンです。
【０１０３】
請求項１および２５に記載の安全なイヤホン
【０１０４】
その特徴：片耳または両耳の周波数応答が異なる複数のスピーカーを個別に提供するように設定されているのは、高音質のノイズ低減安全イヤホンです。
【０１０５】
請求項１−３０に記載の安全なイヤホン
【０１０６】
特徴：エアチューブ１Ａの両端と集音空洞または音響空洞２Ａはすべて中空３Ａまたは接着剤または他の方法で固定され、エアチューブ６Ａの形状は真っ直ぐな形状を部分的に含む。スパイラル形状、すべてのスパイラル形状、または真ん中のスパイラルと両端が真っ直ぐな形状、または耳に引っ掛けることができるベンド４Ａになるようにエアチューブを設定すると、ベンド４Ａの端点には音の空洞。
【０１０７】
ワイヤの一部を真っ直ぐに、または全部をらせん状に、または１つの部分をらせん状に、そして１つの部分をらせん状に、または１つの部分をらせん状に、その両端をまっすぐに設定する。または、エアチューブを耳に引っ掛けることができるベンド４Ａに設定し、耳栓５Ａを耳に入れて聴きます。    
【０１０８】
空気対流のための微小孔を開けるために、音腔の側面または背面の適切な位置を選択する。小さなマイクロホールのサイズは、音量に影響します。  
【図面の簡単な説明】
【０１０９】
【図１】図１は、垂直に配置された２つのラウドスピーカーと集音空洞を有する、本発明による安全なイヤホンの右側の概略図である。
【０１１０】
【図２】図２は、本発明による安全なイヤホンの主要な概略図であり、垂直に配置された２つのラウドスピーカーと集音空洞を有する。
【０１１１】
【図３】図３は、本発明による安全なイヤホンの右側の概略図であり、１つの拡声器が平らにまたは斜めに配置され、対称的な収音空洞を有する。
【０１１２】
【図４】図４は、本発明による安全なイヤホンの主要な概略図であり、１つの拡声器が平らにまたは斜めに配置され、対称的な集音空洞を有する。
【０１１３】
【図５】図５は、本発明による、１つのラウドスピーカ、１つの音波伝送チャネル、および対称的な収音キャビティを備えた小さな密閉ボックスの概略図である。
【０１１４】
【図６】図６は、本発明による集音空洞の矩形Ａ−Ａ断面図である
【０１１５】
【図７】図７は、本発明による集音空洞の楕円Ａ−Ａ断面図である。
【０１１６】
【図８】図８は、本発明による集音空洞の円形Ａ−Ａ断面図である。
【０１１７】
【図９】図９は、本発明によるマイクロホンの設置の概略図である。
【０１１８】
【図１０】図１０は、本発明によるマイクロホンの設置の概略図である。
【０１１９】
【図１１】図１１は、本発明によるマイクロホンの設置の断面図である。
【０１２０】
【図１２】図１２は、リベットの固定方法の概略図である。
【０１２１】
【図１３】図１３は、ナットの固定方法の概略図である。
【０１２２】
【図１４】図１４は、本発明による安全なイヤホンの主要な概略図であり、外部プラグにスイッチが設けられたケーシング内に全体的に配置された耳栓、マイクロスピーカおよびマイクロホンを有する。
【０１２３】
【図１５】図１５は、本発明による安全なイヤホンの主な概略図であり、イヤプラグおよびマイクロスピーカの両方がケーシング内に配置され、マイクロフォンおよびスイッチの両方が小さなケーシング内に配置されている。もう一方の端は、金属シールド線に接続されています。
【０１２４】
【図１６】図１６は、本発明による安全なイヤホンの主要な概略図であり、二つの耳栓と二つのマイクロスピーカが別々に配置されており、ケーシング、マイクロフォンとスイッチの両方が小さなケーシングに配置されている。もう一方の端は、金属シールド線に接続されています。
【０１２５】
【図１７】図１７は、本発明による安全なイヤホンの主要な概略図であり、そこに配置された耳栓およびマイクロスピーカを有し、音響空洞全体、マイクロフォン、およびスイッチが小さなケーシング全体に配置されている。
【０１２６】
【図１８】図１８は、本発明による安全なイヤホンの主要な概略図であり、２つの耳栓と２つのマイクロスピーカが配置され、２つの音響空洞、マイクとスイッチが配置されている。
【０１２７】
【図１９】図１９は、オーバーイヤーセーフエアチューブステレオヘッドフォンの概略図である。
【０１２８】
【図２０】図２０は、図１９のような構造に基づいて、スピーカ１０５、１１１と、対応する空気管および音響空洞とをさらに備えたイヤホンの概略図である。
【０１２９】
【図２１】図２１は、２つの音響空洞の空気管と音響収集空洞の密封接合部の断面図である。
【０１３０】
【図２２】図２２は、２つの音響空洞の断面図である。
【０１３１】
【図２３】図２３は、放射線保護を達成するために金属シールド線を採用したオーバーイヤー放射線耐性ヘッドフォンの側面断面図である。
【０１３２】
【図２４】図２４は、放射線保護を達成するために金属シールド線を採用したオーバーイヤー放射線耐性ヘッドフォンの概略図である。
【０１３３】
【図２５】図２５は、リスニング用の空気管によって音室に接続された異なる周波数応答を有する２つのスピーカーを有する有線イヤホンの概略図である
【０１３４】
【図２６】図２６は、片方の耳を聞くための空気管を備えた音響室に接続された異なる周波数応答を有する２つのスピーカーを有する有線イヤホンの概略図である。
【０１３５】
【図２７】図２７は、１つの耳を聞くための２つの空気管により２つの音響空洞に接続された異なる周波数応答を有する２つのスピーカーを有する有線イヤホンの概略図である。
【０１３６】
【図２７−１】図２７−１は、ケーシングを通過する２つの空気管の構造図である。
【０１３７】
【図２７−２】図２７−２は、麺の形状をした２チューブ一体型エアチューブの概略図である。
【０１３８】
【図２８】図２８は、２つのリスニング用の２つの空気管により２つの音室に接続された異なる周波数応答を有する２つのスピーカーの２つのグループを有するステレオ有線イヤホンの概略図である。
【図２８−１】図２８−１は、図２８の一部拡大図である。
【０１３９】
【図２９】図２９は、イヤヘッドフォン上のノイズリダクションセーフの側面断面図である。
【０１４０】
【図３０】図３０は、イヤヘッドフォン上の騒音低減金庫の正面図である。
【０１４１】
【図３１】図３１は、イヤヘッドフォン上のノイズリダクションセーフの上面図です。
【０１４２】
【図３２】図３２は、マイクロホンの音声信号を増幅して音声に変換する音声変換器の回路原理図であり、充電と電力供給の原理回路を備えている。回路は、マイクエアチューブの長さに応じて回路の増幅電力を変更して、異なるチップと異なる回路を選択できます。
【０１４３】
【図３３】図３３は、左右の耳の音波チャネル、スピーカー、マイクロフォンの空気管、および第１のマイクロフォンを有する、イヤヘッドフォン上のノイズリダクションセーフの構造の概略図である。
【０１４４】
【図３３−１】図３３−１は、並んで並列に接合された３つの空気チューブの概略図である。
【０１４５】
【図３３−２】図３３−２は、スピーカーの音波チャンネルと音腔との間の接続の概略図である。
【０１４６】
【図３３−３】図３３−３は、別の種類の音響空洞の概略図である。
【０１４７】
【図３３−４】図３３−４は、三角形の断面形状を有する、互いに結合された３つの空気チューブの概略図である。
【０１４８】
【図３４】図３４は、騒音低減モノラルオーバーイヤーヘッドフォンの構造の側断面図である。
【０１４９】
【図３５】図３５は、ノイズ低減モノラルオーバーイヤーヘッドフォンの構造の正面図である。
【０１５０】
【図３６】図３６は、ノイズ低減安全なモノラル耳フックイヤホンの構造の概略図である。
【０１５１】
【図３７】図３７は、携帯用の手持ち式の安全なヘッドセットの構造の全断面図である。
【０１５２】
【図３８】図３８は、携帯用の手持ち式安全ヘッドセットとロングポールスイッチの両方の外観の概略図である。
【０１５３】
【図３９】図３９は、携帯用ハンドヘルド安全ヘッドセットの外観とスイッチの両方の構造の概略図である。
【０１５４】
【図４０】図４０は、スイッチボタンから離れたマイクロスイッチを有するスイッチの構造の概略図である。
【０１５５】
【図４１】図４１は、ノイズ低減携帯用ハンドヘルド安全ヘッドセットの置換構造の概略図である。
【０１５６】
【図４２】図４２は、騒音低減航空用オーバーイヤーセーフヘッドフォンの構造の側断面図である。
【０１５７】
【図４３】図４３は、騒音低減航空用オーバーイヤーセーフヘッドフォンの構造の正面断面図である。
【０１５８】
【図４４】図４４は、耳に湾曲して引っ掛けられたエアチューブまたは導体の構造の正面断面図である。
【０１５９】
【図４５】図４５は、エアチューブまたは導体によって耳に湾曲して引っ掛けられた耳栓の構造の側断面図である。
【０１６０】
【図４６】図４６は、中空リベットによって音響空洞に接続された空気管の概略図である。
【発明を実施するための形態】
【０１６１】
実施例１
【０１６２】
上記のような安全なイヤホン
【０１６３】
その特徴は、音出口を有する第１の端部を有する音空洞（２）を備えたイヤホンヘッド（１）を含む。
【０１６４】
チャンネル開口部を有する集音空洞（１０）を備えた本体（４）。チャンネル開口部は、音波伝送チャンネル（３）を介して音腔（２）の第２の端部に接続される。
【０１６５】
収音空洞（１０）がマイクロスピーカー（５）と音波伝送チャネル（３）との間にある、マイクロスピーカー（５）。
【０１６６】
ここで、マイクロスピーカは、本体（４）の外側の導体（８）の第１の端部に接続され、導体（８）の第２の端部はプラグ（９）に接続される。
【０１６７】
マイクは、アクティブオーディオ信号をパッシブ送信信号に変換し、再びアクティブオーディオ信号に復元する変換システムとして設定される。
【０１６８】
実施例  ２
【０１６９】
上記のような安全なイヤホン
【０１７０】
その特徴は本体には、マイクロスピーカ（５）の１つの放音端と音波チャンネルスロットの一端に気密に接続された２つの端を有する集音空洞がその中に設けられる。マイクロスピーカー（５）の音波を、音波伝送チャネル（３）によって集音空洞（１０）を介して音響空洞（２）に伝送し、音響空洞（２）には音出口が設けられている上部カバーのサウンドアウトレット用のスリーブ。
【０１７１】
実施例  ３
【０１７２】
上記のような安全なイヤホン
【０１７３】
本体（４）にマイクロフォン（６）が設けられ、本体（４）はマイクロフォン（６）に対応する受音孔（１３）を有することを特徴とする。
【０１７４】
ここで、本体（４）にはスイッチ（１２）が設けられている。マイクロスピーカー（５）とマイクロフォン（６）は両方ともスイッチ（１２）に接続され、その後導体８に接続されます。  
【０１７５】
実施例  ４
【０１７６】
上記のような安全なイヤホン
【０１７７】
その特徴は、音波伝送チャネル（３）が絶縁材料製のチューブであり、音波伝送（３）の内径が３ｍｍであり、長さが３００ｍｍであることである。
【０１７８】
ここで、音腔の容積は１５００ｍｍ３る。
【０１７９】
ここで、音響出口は、２ｍｍの直径Фを有する穴であるか、または各穴が２ｍｍの直径ｓｅｖｅｒａｌを有するいくつかの穴を有する。
【０１８０】
実施例  ５
【０１８１】
上記のような安全なイヤホン
【０１８２】
その特徴は、音波伝送チャネル（３）の長さが５００ｍｍである。
【０１８３】
実施例  ６
【０１８４】
上記のような安全なイヤホン
【０１８５】
集音空洞の周辺にある２対のベベルエッジが逆テーパー形状であることを特徴とする。また、各ペアのベベルエッジ間の角度は６０°です。
【０１８６】
実施例  ７
【０１８７】
上記のような安全なイヤホン
【０１８８】
その特徴は、収音キャビティ（１０）の周囲の２つの対の曲線縁部間に少なくとも１つの対があることを特徴とし、対称的である。
【０１８９】
実施例  ８
【０１９０】
上記のような安全なイヤホン
【０１９１】
その特徴は、  集音空洞（１０）の周囲にある２対のアークエッジの両方が非対称である。
【０１９２】
実施例  ９
【０１９３】
上記のような安全なイヤホン
【０１９４】
その特徴は、逆テーパー形状とは、集音キャビティ（１０）の周囲が逆テーパー形状であり、周囲がベベルラインによって形成されていることを意味する。
【０１９５】
実施例  １０
【０１９６】
上記のような安全なイヤホン
【０１９７】
その特徴は、ここで、集音キャビティ（１０）の周辺は、逆テーパ形状であり、周辺は、円弧（または曲線）線と斜角線によって形成される。
【０１９８】
実施例  １１
【０１９９】
上記のような安全なイヤホン
【０２００】
その特徴は、コーンの断面が、集音キャビティ（１０）が楕円形であることである。
【０２０１】
実施例  １２
【０２０２】
上記のような安全なイヤホン
【０２０３】
その特徴は、コーンの底部に平行な断面が、集音キャビティ（１０）が多角形であり、隣接する辺が弧線によって形成されていることである。
【０２０４】
実施例  １３
【０２０５】
上記のような安全なイヤホン
【０２０６】
その特徴は、マイクロホン（６）は、本体（４）の円形の穴に取り付けられ、その受音面は外側に面し、周囲で密閉されているため、音は受音穴を通して送られる。本体（４）からマイク（６）に、マイクの受音面の前にある受音の小さな穴があります。
【０２０７】
実施例  １４
【０２０８】
上記のような安全なイヤホン
【０２０９】
その特徴は、音波伝送チャネル（３）の一端がイヤホンヘッドの入口に固定され、他端が集音キャビティの小端および音波伝送の両端に固定されていることである。チャンネル（３）は中空のリベット（１７−１）で膨らんでおり、音波伝送チャンネルはイヤホンの入口と、マイクロスピーカーが大きな端に取り付けられた集音キャビティの小さな端に固定されています。それらの３つのジョイントはシールされています。  
【０２１０】
実施例  １５
【０２１１】
上記のような安全なイヤホン
【０２１２】
その特徴は、音波伝送チャネル（３）の一端がイヤホンヘッドの入口に挿入され、他端が集音キャビティの出口に挿入されていることである。また、音波伝送チャネル（３）の両端は、締め付けのために外側がジャケット（１７−２）で覆われています。
【０２１３】
実施例  １６
【０２１４】
上記のような安全なイヤホン
【０２１５】
その特徴は、導体（８）は、金属シールド線を使用して、導体を接地させる。
【０２１６】
実施例  １７
【０２１７】
上記のような安全なイヤホン
【０２１８】
その特徴は、  マイクロスピーカ（５）の数は１であり、集音キャビティ（１０）の数は１であり、チャネル開口部の数は１であり、マイクロスピーカからの音は、  −スピーカー（５）は、チャンネル開口部の１つに接続された音波伝送チャンネル（３）の１つを介して、イヤホンヘッド（１）の１つに伝送されます。
【０２１９】
実施例  １８
【０２２０】
上記のような安全なイヤホン
【０２２１】
その特徴は、マイクロスピーカ（５）の数が２であり、収音キャビティ（１０）の数が２であり、１つのマイクロスピーカが１つの収音キャビティ（１０）の大きな端部に対応することを特徴とする。  ）および各集音空洞の小さい端には１つのチャネル開口部があり、１つのチャネル開口部は１つの音波伝送チャネルと１つのイヤホンヘッドに対応します。
【０２２２】
実施例  １９
【０２２３】
上記のような安全なイヤホン
【０２２４】
その特徴は、ここで、集音キャビティ（１０）は、小さな上部と大きな底部を備えた構造を有する。
【０２２５】
実施例  ２０
【０２２６】
上記のような安全なイヤホン
【０２２７】
その特徴は、マイクロスピーカー（５）が丸い形状である。
【０２２８】
実施例  ２１
【０２２９】
ここで、上記の安全なイヤホン装置
【０２３０】
その特徴は、マイクロスピーカ（５）は、本体（４）内に垂直に配置される。
【０２３１】
実施例  ２２
【０２３２】
上記のような安全なイヤホン
【０２３３】
その特徴は、本体としては設けられず、集音キャビティとマイクロラウドスピーカを一緒にケーシングとして備え、マイクロフォン、スイッチおよび音量調節キーを取り付けるための追加の小さなケーシングを備えている。
【０２３４】
実施例  ２３
【０２３５】
上記のような安全なイヤホン
【０２３６】
その特徴は、放射を防止するために金属シールド線のみが採用される。
【０２３７】
実施例  ２４
【０２３８】
上記のような安全なイヤホン
【０２３９】
その特徴は、長さが６００ｍｍである空気管（８６）（９２）に接続された２つの音室を有する本実施形態の安全なオーバーイヤー空気管ヘッドホンは、外部透明の層を使用することを特徴とする。または不透明な金属シールド線で接地し、オーディオケーブルの一端をプラグ（９８）に接続し、もう一端をスピーカー（８８）に接続します。レシーバーのオーディオケーブルの一端（９６）  ）はプラグ（９８）にも接続され、もう一方の端はスピーカー（８８）（９４）から５０  ｍｍの距離に保たれたレシーバー（９６）に接続され、マイク（９６）にはハウジング（  ９６−１）、またはいくつかのマイクロフォンとスピーカーがハウジングに取り付けられ、請求項１から４に従って干渉を互いに分離し、構造がより単純であるため、体積が小さくなるようにします。
【０２４０】
実施例  ２５
【０２４１】
上記のような安全なイヤホン
【０２４２】
その特徴は、２つのラウドスピーカーキャビティ（８９）（９５）を備えた２つのラウドスピーカーハウジング（８９）（９５）を備え、２つのラウドスピーカー（８８）（９４）が別々に取り付けられていることを特徴とする。逆テーパー形状の集音空洞（８７）（９３）の大きな端に合わせて、小さな端をエアチューブ（８６）（９２）の一端とエアチューブの他端に接続します（８６）（９２）は音を発生する音の空洞に気密に接続され、音（８５）（９１）を生成します。ここで、音の空洞（８５）（９１）は、頭の弓の両端に取り付けられており、音の継ぎ目です各ラウドスピーカーの出口とそれに対応する集音空洞とエアチューブは密閉されており、他の設定はすべて請求項２４と同じです。  
【０２４３】
実施例  ２６
【０２４４】
上記のような安全なイヤホン
【０２４５】
その特徴は、実施形態の本例は、片耳聴取用の２種類のスピーカー、すなわち、請求項２４に記載のヘッドフォンの２つのスピーカーハウジングの両方が、もう１つのスピーカー（１０６）（１１２）に別々に取り付けられていることを特徴とする、追加されたスピーカー（１０６）（１１２）の周波数応答は、元のスピーカー（１０２）（１１３）の周波数応答とは異なります。つまり、２つのスピーカーハウジングの両方にそれぞれ１つの高周波および低音声スピーカーが取り付けられています。音波伝送チャネルをもう１つ並列に追加すると、２つのレシーバー（９９）（１０７）の両方に、ダブルサウンドキャビティ（１１７）（１１８）のレシーバー（１０７）とダブルサウンドキャビティ（１１７−１）（１１８−１）、追加されたスピーカー、エアチューブ、サウンドチャンバーの接続方法は、請求項２４と同じです。
【０２４６】
実施例  ２７
【０２４７】
上記のような安全なイヤホン
【０２４８】
その特徴は、この実施形態におけるエアチューブのないオーバーイヤーヘッドフォンは、請求項１に記載の構造に基づいてエアチューブを取り外し、スピーカー（１２０）（１２０−１）を音響空洞（１１９）（  １１９−１）、オーディオケーブルの一端はスピーカー（１２０）（１２０−１）に接続され、他端はプラグ（１２４）に接続され、レシーバー（１２１）のコンダクターの一端プラグ（１２４）にも接続され、もう一方の端は、調整可能な支持ホース（１２４）または金属ワイヤによってレシーバー（１２１）の終点に接続されます。採用されたケーブルは、外部から透明または不透明な金属でできています１つまたは複数の個別接地または複数の複合接地を設定することにより、ケーブルを接地する層のシールド線。または、サウンドキャビティに周波数応答の異なる２つのスピーカーを設置します。これにより、周波数応答が非常に広くなり、音質が非常に良好になります。
【０２４９】
実施例  ２８
【０２５０】
上記のような安全なイヤホン
【０２５１】
その特徴は、長さ５００ｍｍの有線イヤホンの空気管（１２７）を設定し、その一端を２つの集音空洞（１２９）の小端の交差部の小穴（１２８）に接続すること）（１３２）、１つの可動コイルスピーカー（１３０）と１つの可動鉄製スピーカー（１３３）を設置し、エアチューブ（１２７）のもう一方の端を音響空洞（１２５）に接続します。
【０２５２】
上述のラウドスピーカーと集音空洞の接続、集音空洞と第２段階の集音空洞の接続、集音空洞と空気管の接続、空気管と耳栓の接続はすべて密閉するように設定し、可動スピーカーとコイルスピーカーの磁場を金属で隔離します。
【０２５３】
実施例  ２９
【０２５４】
上記のような安全なイヤホン
【０２５５】
その特徴は、それぞれが集音空洞（１４２）（１４０）に取り付けられた２つのラウドスピーカー（１４３）（１４４）を有し、対応する集音空洞（１４２）（１４０）の小端から音を伝達することを特徴とする。第２段階の集音空洞（１３９）の大きな端部、第２段階の集音空洞（１３９）の小さな端は、空気管（１３８）の一端、空気管の他端（  １３８）は、リスニングのために対応する耳栓（１３７）の音響空洞（１３６）に接続されています。他の構造は、実施形態２８と同じままである。
【０２５６】
実施例  ３０
【０２５７】
上記のような安全なイヤホン
【０２５８】
その特徴は、この実施形態のモノラルイヤホンには、１つの可動鉄製スピーカー（１５６）と１つの可動コイルスピーカー（１５３）が設けられ、それぞれが集音キャビティ（１５５）の大きな端部に配置されていることである（  １５２）、対応する集音キャビティ（１５５）（１５２）はエアチューブ（１５１）（１５０）の一方の一端に個別に配置され、エアチューブ（１５１）（１５０）のもう一方の平行端は接続されます耳栓（１４９）の対応する各音腔（１４７）（１４８）に聞いてください。他の構造は、実施形態２８と同じままである。
【０２５９】
実施例  ３１
【０２６０】
上記のような安全なイヤホン
【０２６１】
その特徴は、平坦な絶縁ホース（１５１−３）内の２つの空気チューブ（１５１−１）（１５０−１）を開き、２種類のラウドスピーカー（１５３）の音波を音響空洞に伝達することである。リスニング用の耳栓（１４９）。他の構造は実施形態と同じままである。
【０２６２】
実施例  ３２
【０２６３】
上記のような安全なイヤホン
【０２６４】
その特徴は、耳栓（１４９）に２つの音響空洞（１４７）（１４８）を設定し、１つの音響空洞（１４７）（１４８）の一端に接続された２つの空気管（１５１）（１５０）と２つの音響空洞（１４７）（１４８）のもう一方の端は、聞くために耳に入れられました。他の構造は、実施形態２８と同じままである。
【０２６５】
実施例  ３３
【０２６６】
上記のような安全なイヤホン
【０２６７】
その特徴は、本実施形態のイヤホンは２つの耳を聞くためのものであり、２つの耳を聞くために提供されている間、スピーカーから耳栓の音腔まで構造の２つのグループを設定する必要があります。可動鉄製スピーカー（１６６）（１６７）および可動コイルスピーカー（１６９）（１７８）は、集音キャビティ（１６５）（１７５）および（１６８）（１７７）の大きな端に対応して配置されています。ここで、対応する集音キャビティ（１６５）（１７５）および（１６８）（１７７）は、エアチューブ（１６３）（１６４）および（１７３）（１７４）の一方の端、および他方の平行な端に別々に配置されますエアチューブ（１６３）（１６４）および（１７３）（１７４）は、耳栓（１６２）の対応する各音腔（１６０）（１６１）および耳栓（１７２）の音腔（１７０）（１７１）に接続されています）リスニングのために、スピーカーから請求項１−２３に記載の任意の回路および構造から選択されたプラグに適切な構造の２つのグループを設定して、デュアル周波数のステレオ有線イヤホンになるため、音質だけでなく、ステレオサウンドは非常に強いです。  
【０２６８】
実施例  ３３
【０２６９】
上記のような安全なイヤホン
【０２７０】
その特徴は、本実施形態の耳かけ型ヘッドホンの騒音低減金庫は、左耳カップ（１９５）、音室ケーシング（１９５−３）、左耳ケーシング（１９５−１）、右耳カップ（１９４）、右耳ケーシング（１９５−２）、ヘッドバンド（１８５）、スイッチとそのスイッチハウジング（１９１）、ノイズ低減伝達アーム（１９８）、ノイズ低減コンバーター（１９６）  、ハウジング（１９５−１）、スピーカーハウジング（１９０）、ノイズリダクション変換システムを備えたプラグ（１９３）：アクティブオーディオ信号からパッシブオーディオ信号に伝送を変換し、最初のマイクを有線に設定しますスピーカーを押すオーディオアンプの回路（図３２）、選択されたエアチューブの長さと直径によって回路が決定され、集音キャビティ（２０５）（２０６）の大きな端がスピーカー（２０７）（２０８）の音声出口と小さな端は、マイクエアチューブ（１８８−１）（１８７−１）の一方の端にリベットで留められ、そのもう一方の端はｔ  ｏテーパー形状の音響空洞（２０３）の小端、音響空洞（２０３）が第２マイクロホン（２０４）の受音面に接続されている大端、エアチューブを介して２番目のマイクの受音面までのスピーカーは密閉されています。第２のマイクロフォンの他端は金属シールド線（１９２）の一端に配線され、他端はプラグ（１９３）の一端に接続され、プラグ（１９３）の他端は、通信装置のコンセントに接続されている。
【０２７１】
変換システムのアクティブ部には、電子回路基板（図３２）、電力回路およびその要素を供給するためのバッテリー、バッテリーに接続された充電回路および充電ソケット、電源ＬＥＤおよび電源スイッチ、前述の変換システムのアクティブな信号要素はすべてコンバーターに取り付けられ、変換システムのスピーカーは最初のマイクの中央、または左耳ハウジング内の音腔の外側に取り付けられます。（図３２）
【０２７２】
マイクロホンの信号伝送は、能動伝送から受動伝送に変換され、その後、再び能動伝送に復元され、これにより、空気管を非常に長く設定することができ、マイクロホンは、騒音低減を達成するために音響出口に非常に近い距離を保つ。  、そしてその間、通信デバイスの害から耳と脳を非常に強く保護します。
【０２７３】
左耳空気管（１８７−１）の一端は、音（２０９−１）を生成する音響空洞の入口に接続され、他方、他端は、集音器の小端に接続される。空洞（２０５）の大きな端部は、集音空洞がスピーカー（２０７）に接続され、その他端は、金属シールド線（１９２）に配線されている。右耳の空気管（１８８−１）の一端は、右空気管のもう一方の端が船外機に沿って左耳ケーシング（１９５−１）を通過するときに音を出す右音腔の入口に接続されています金属製ヘッドバンド（１８６）の左耳エアチューブ（１８７−１）がスピーカーケーシング（１９０）に平行で、右耳の集音キャビティ（２０６）の小さな端に接続され、そのもう一方の端が右耳スピーカー（２０８）の一端に接続され、右耳スピーカー（２０８）の他端はスイッチ（１９１）を介して金属シールド線（１９２）の一端に配線され、他端はそのうち、金属シールド線（１９２）はプラグ（１９３）に接続されている。
【０２７４】
３つの空気チューブは、並列に並んで接着され、外側の柔軟な材料で覆われている。
【０２７５】
実施例  ３４
【０２７６】
上記のような安全なイヤホン
【０２７７】
その特徴は、この実施形態では、左右のラウドスピーカおよび第２のマイクロフォンは、同じ接続方法の実施形態３３でスイッチケーシングに取り付けられることを特徴とする。三角形の形；他の構造は、実施形態３３と同じままである。
【０２７８】
実施例  ３５
【０２７９】
上記のような安全なイヤホン
【０２８０】
その特徴は、本実施形態は、スピーカーケーシングから斜めに引っ張られた右空気管を、金属製ヘッドバンドに沿って通過しない右耳音腔の入口に設定することを特徴とする。他の構造は、実施形態３３と同じままである。
【０２８１】
実施例  ３６
【０２８２】
上記のような安全なイヤホン
【０２８３】
その特徴は、本実施形態における３本の空気管は、スイッチケーシングのＥ側から引き出され、左耳ケーシングの内側に接続されていることを特徴とする。他の構造は、実施形態３３と同じままである。
【０２８４】
実施例  ３７
【０２８５】
上記のような安全なイヤホン
【０２８６】
その特徴は、モノ回路として使用される本実施形態のイヤヘッドフォンに対するノイズリダクションセーフは、左右の耳のスピーカーを１つの集音空洞により１つの音波伝達管に接続された１つのスピーカーにマージし、音波を接続することを特徴とする。左耳音腔のティーの入口への伝送管、前述のティーには、１つの出口が左耳音腔の入口に接続され、もう１つが１つの音波伝送管によって左耳音腔に接続された２つの出口があるヘッドバンド。
【０２８７】
実施例  ３８
【０２８８】
上記のような安全なイヤホン
【０２８９】
その特徴は、本実施形態の耳モノラルヘッドフォンのノイズリダクションセーフは、ケーシング（２００−１）に取り付けられた柔軟なボウクリップ（１９９）、円形または他の形状のクランプピース２０１が取り付けられていることを特徴とする。弓クリップの終点。変換システムの回路構造と接続方法は、請求項２５に記載されているものと同じです。
【０２９０】
マイクロホン空気管（２０６）の一端は、変換器の集音空洞の小さい端に接続され、その大きい端は、集音空洞のスピーカーの音出口面に接続される。変換器のもう一方の端はテーパー形状の音響空洞（２０３−１）の小さな端に接続され、その大きな端は第２のマイクロホン（２０４−１）の受音面に接続され、第２のマイクロホン（２０４−１）の一端は金属シールド線（２０５）の一端に配線され、金属シールド線（２０５）の他端はプラグ（２０６）に接続される。
【０２９１】
左耳エアチューブ（２００−１）の一端は、ケーシング内部で音を生成する音空洞（図３３−２の構造、音空洞番号：２０９−２）の入口に接続されている。  （２００−１）、もう一方の端は集音キャビティ（２０５−１）の小さな端に接続され、その大きな端はスピーカー（２０７−１）の一方の端に接続されます。端は金属シールド線（２０５）の一端に配線され、金属シールド線（２０５）の他端はプラグ（２０６）に接続されます。ここで、マイク、左耳スピーカー、および集音空洞は音を分離するためのセパレータ。
【０２９２】
マイクロホンの信号伝送は、能動伝送から受動伝送に変換され、その後、再び能動伝送に復元され、これにより、空気管を非常に長く設定することができ、マイクロホンは、騒音低減を達成するために音響出口に非常に近い距離を保つ。  、そしてその間、通信デバイスの害から耳と脳を非常に強く保護します。
【０２９３】
実施例  ３９
【０２９４】
上記のような安全なイヤホン
【０２９５】
その特徴は、本実施形態の騒音低減安全モノイヤフックイヤホンは、スリーインワンブラケット本体を備え、この本体には、その前面にイヤーフック（２１１）が設けられていることを特徴とする。は、変換システム（１９６−２）を端部に持つ騒音低減伝達アーム（１９８−２）であり、本体には、音腔のある耳栓（図３３−２の構造、音腔番号２０９−３）、イヤープラグの空気管（２１２）の一端は音響空洞（２０９−３）の入口に接続され、空気管（２１２）の他端は小端に接続されますスピーカー（２１４−１）が大きな端に取り付けられた集音キャビティ（２１２−１）のスピーカー（２１４−１）と第２のマイク（２１４−２）の両方は、スピーカーケース（  ２１４）相互の音の干渉を避けるため。変換システムおよびその他の回路接続方法および構造は、実施形態３８と同じである。
【０２９６】
実施例  ４０
【０２９７】
上記のような安全なイヤホン
【０２９８】
その特徴は、：  ポータブルハンドヘルド安全ヘッドセットは、上部に音の空洞の一端である上部カバー（２２８）を備えた受信機の音の空洞（２１８）を有するハンドアーム（２３０）を備える。  ２１８）は、エアチューブ（２２０）の一端に接続され、エアチューブ（２２０）の他端は、集音キャビティの大きな端である集音キャビティ（２２２）の小さな端に接続されます（２２２）はスピーカー（２２４）に接続され、スピーカー（２２４）の接続線とマイク（２２３）の接続線はスイッチ（２３１）によって金属シールド線（２２６）に接続されます。ワイヤ（２２６）の端はプラグ（２２５）に接続されています。      
【０２９９】
スイッチ（２３１）は、携帯用ハンドヘルド安全ヘッドセットの中央の側面に設定され、スイッチ（２３１）のボタンは、リンクの機械的伝達により電気スイッチを操作して、スピーカーを切断または接続する。  （２２４）およびマイク（２２３）。
【０３００】
実施例  ４１
【０３０１】
上記のような安全なイヤホン
【０３０２】
その特徴は、本実施形態は、マイクロスイッチ（２３３）の長いアーム（２３２）を押し上げるスイッチのボタンの上部を使用して、マイクロスイッチ（２３３）、他の設定、および構造は実施例４０と同じであるため、アクティブ回路は常に人間の脳から離れた位置に保たれ、マイクとスピーカーは本体の下にある互いに絶縁された２つの空洞に取り付けられています。マイクロホンは、セパレーターを通過した後、接着剤で密封されているため、配置により良好な耐放射線効果を達成できます。
【０３０３】
実施例  ４２
【０３０４】
上記のような安全なイヤホン
【０３０５】
その特徴は、ノイズ低減携帯用ハンドヘルド安全ヘッドセットの本体（２３０−１）の下部には、ノイズ低減マイク信号変換システムが提供される：アクティブオーディオ信号からパッシブオーディオ信号に伝送を変換する。  、および第２の音声増幅回路に配線された第１のマイクロホン（２３９）をスピーカー（２３８）を駆動するように設定し、スピーカー（２３８）の音出口は集音空洞（２３６）の大きな端に接続され、小さいその一端は、マイクロフォンエアチューブ（２４０）の一端にリベット留めされ、マイクロフォンエアチューブ（２４０）の他端は、テーパー形状の音響空洞（２４３）の小さな端部に接続され、端部は第２のマイクロフォンの受音面に接続され、マイクロフォンと第２のマイクロフォンの受音面との間の接続部は接続され、第２のマイクロフォン（２４３）のもう一方の端部は一方に配線されます金属市の終わりもう一方の端がプラグ（２４６）に接続されている、太線（２４５）。  
【０３０６】
変換システムのアクティブ部には、電力回路およびその要素に供給するためのバッテリー、バッテリーおよび充電ソケットおよびそのＬＥＤに接続される充電回路、スピーカー（２３８）および第１のマイクロホン（２３９）が設けられる。本体（２３０−１）内で互いに遮音される２つのキャビティに別々に取り付けられ、最初のマイクのワイヤはセパレータを通過した後、接着剤でシールされます。
【０３０７】
第２のマイクロホン（２４３）およびスピーカー（２４１）は、ケーシング（２３０−２）内に配置され、音響バッフルによって分離され、スピーカー（２４１）の受音面は、その大きな端に接続される。集音空洞（２４２）。その小さな端部はスピーカー（２４１）の空気管に接続されています。スピーカーのエアチューブのもう一方の端は、音の空洞（２８１−１）の一方の端に接続されています。スピーカー（２４１）は、金属シールド線（２４５）の一端に配線され、その他端はプラグ（２４６）に接続されている。
【０３０８】
実施例  ４３
【０３０９】
上記のような安全なイヤホン
【０３１０】
その特徴は、本実施形態における騒音低減航空用オーバーイヤーセーフヘッドフォンは、革製のヘッドバンド、ステッチされたスチール製のヘッドボウ（２４７）、ヘッドボウ（２４７）、および調整可能なものを含む構造を備えることを特徴とする。ネジで固定されたブラケット（２５１）、調整可能なブラケット（２５１）と固定ブラケット（２５２）は自動ロックナットで固定され、固定ブラケット（２５２）はロックピラーを介して左耳ケーシング（２５３）に接続されます。右耳ケーシング（２５０）は、左耳ケーシング（２５３）と対称的かつ同じ方法で接続および固定されます。  
【０３１１】
第１の騒音低減マイクロホンは、可変ギアを備えたユニバーサルホース（２５５）に接続された騒音低減コンバータケーシング（２５４）に取り付けられ、左耳および右耳の音腔は耳ケーシングに配置され、エアチューブは、右側の音腔の（２５８）は、左耳ケーシングを通過し、鋼製の弓（２４７）に沿って右耳ケーシング内の音腔に接続されています。
【０３１２】
実施例  ４４
【０３１３】
上記のような安全なイヤホン
【０３１４】
その特徴は、本実施形態は、スピーカーケーシング（２５６）が右耳ケーシングに斜めに引っ張られ、次にその中の音響空洞に引っ張られることを示すことである。他の構造は実施形態４３と同じである。
【０３１５】
実施例  ４５
【０３１６】
上記のような安全なイヤホン
【０３１７】
その特徴は、異なる周波数応答を有する３つのスピーカー、異なる応答を有する３つの音波伝送チャネル、チャネルに接続された音室、および片耳または両耳の音波伝送チャネルのワイヤを別々に提供する。請求項２４には、２つのイヤホンに可動鉄製スピーカー（１６６）（１７６）と可動コイルスピーカー（１６９）（１７８）が別々に設けられ、それぞれが集音キャビティ（  １６５）（１７５）および（１７８）（１７７）、集音空洞（１６５）（１７５）および（１７８）（１７７）は、エアチューブ（１６３）（１６４）および（  １７３）（１７４）平行端が耳栓（１６２）内の音腔（１６０）（１６１）と耳栓（１７２）内の音腔（１７０）（１７１）に個別に接続され、もう１組追加３つの異なるスピーカーを設定しながら、スピーカー、エアチューブ、サウンドチャンバーの請求項２４に基づく周波数応答（図２８）、構造と接続方法は請求項２４と同じです。
【０３１８】
実施例  ４６
【０３１９】
上記のような安全なイヤホン
【０３２０】
その特徴は、ステレオモデルは、超高音質の安全なイヤホンである。
【０３２１】
実施例  ４７
【０３２２】
上記のような安全なイヤホン
【０３２３】
その特徴は、１つの耳または２つの耳に対して異なる周波数応答を有するいくつかのスピーカーを別々に提供するように設定することが、高音質のノイズ低減安全イヤホンである。
【０３２４】
実施例  ４８
【０３２５】
上記のような安全なイヤホン
【０３２６】
その特徴は、本実施形態の安全なオーバーイヤーエアチューブヘッドフォンであり、長さが３００ｍｍであるエアチューブ（８６）（９２）に接続された２つの音響室を有し、オーディオケーブルは外部透明の層を使用することである。または不透明な金属シールド線で接地し、オーディオケーブルの一端をプラグ（９８）に接続し、もう一端をスピーカー（８８）に接続します。レシーバーのオーディオケーブルの一端（９６）  ）はプラグ（９８）にも接続され、もう一方の端はスピーカー（８８）（９４）から５０  ｍｍの距離に保たれたレシーバー（９６）に接続され、マイク（９６）にはハウジング（  ９６−１）。空気管１Ａの両端と集音空洞または音響空洞２Ａはすべて中空３Ａで固定されている。エアチューブは、耳に引っ掛けることができるベンド４Ａに設定されています。屈曲部４Ａの終点には、音響空洞を有する耳栓５Ａが設けられている。そして耳栓５Ａを耳に入れて聴きます。他の設定は、実施形態２４と同じである。
【０３２７】
上記の実施形態は、本発明を詳細に説明するためのものであり、本発明の範囲を限定するものではないことに留意されたい。本発明の範囲から逸脱することなく、当業者は、添付の特許請求の範囲によって定義される範囲内で様々な改善および修正を行うことができる。
【図１】
2020521412.tif 000003
【図２】
2020521412.tif 000004
【図３】
2020521412.tif 000005
【図４】
2020521412.tif 000006
【図５】
2020521412.tif 000007
【図６】
2020521412.tif 000008
【図７】
2020521412.tif 000009
【図８】
2020521412.tif 000010
【図９】
2020521412.tif 000011
【図１０】
2020521412.tif 000012
【図１１】
2020521412.tif 000013
【図１２】
2020521412.tif 000014
【図１３】
2020521412.tif 000015
【図１４】
2020521412.tif 000016
【図１５】
2020521412.tif 000017
【図１６】
2020521412.tif 000018
【図１７】
2020521412.tif 000019
【図１８】
2020521412.tif 000020
【図１９】
2020521412.tif 000021
【図２０】
2020521412.tif 000022
【図２１】
2020521412.tif 000023
【図２２】
2020521412.tif 000024
【図２３】
2020521412.tif 000025
【図２４】
2020521412.tif 000026
【図２５】
2020521412.tif 000027
【図２６】
2020521412.tif 000028
【図２７】
2020521412.tif 000029
【図２７−１】
2020521412.tif 000030
【図２７−２】
2020521412.tif 000031
【図２８】
2020521412.tif 000032
【図２８−１】
2020521412.tif 000033
【図２９】
2020521412.tif 000034
【図３０】
2020521412.tif 000035
【図３１】
2020521412.tif 000036
【図３２】
2020521412.tif 000037
【図３３】
2020521412.tif 000038
【図３３−１】
2020521412.tif 000039
【図３３−２】
2020521412.tif 000040
【図３３−３】
2020521412.tif 000041
【図３３−４】
2020521412.tif 000042
【図３４】
2020521412.tif 000043
【図３５】
2020521412.tif 000044
【図３６】
2020521412.tif 000045
【図３７】
2020521412.tif 000046
【図３８】
2020521412.tif 000047
【図３９】
2020521412.tif 000048
【図４０】
2020521412.tif 000049
【図４１】
2020521412.tif 000050
【図４２】
2020521412.tif 000051
【図４３】
2020521412.tif 000052
【図４４】
2020521412.tif 000053
【図４５】
2020521412.tif 000054
【図４６】
2020521412.tif 000055
【手続補正書】
【提出日】令和2年1月21日(2020.1.21)
【手続補正１】
【補正対象書類名】明細書
【補正対象項目名】全文
【補正方法】変更
【補正の内容】
【発明の詳細な説明】
【技術分野】
【０００１】
本発明は、耐放射線性または安全性のイヤホンに関し、特に、携帯電話などの高周波磁場などの強い放射線を伴う通信機器用の耐放射線性イヤホンおよびステレオ放射線耐性イヤホンに関すること。本当に改善された周波数応答を持ち、より良いステレオ効果を生み出すことができるイヤホンにとって、周波数応答は従来のワイヤー制御のイヤホンよりも優れています。
【背景技術】
【０００２】
携帯電話やその他の通信機器に付属しているイヤホンなど、一般的に使用されているイヤホンには、プラグ、ワイヤー、イヤフォンが含まれ、イヤフォンには小型スピーカーが装備されています。携帯電話を直接使用して通話を行うため、携帯電話から発生する超高周波磁場などの有害な放射線は、人々の脳と神経をひどく刺激し、人々の健康に影響を与えます。電波や熱エネルギーなどのさまざまな放射線による人間の脳の損傷。ただし、スピーカーを直接イヤホンのヘッドに取り付けた通常のイヤホンを使用しても、イヤホンヘッドから耳の内側へのＵＨＦワードフィールドなどの放射線を受信することにより、直接脳を損傷する危険を避けることはできません。さらに、内蔵スピーカー自体のイヤホンヘッドには、高さが１６００ガウスの永久磁場があり、これも人間の脳に損傷を与えます。したがって、携帯電話またはそのようなイヤホンを長時間、高頻度で使用すると、頭痛、めまい、しびれなどの症状が生じやすくなります。
【０００３】
特許文献：特許番号：ＺＬ０２２４４８２８．４、名称：非放射性イヤホンなどの反電磁波放射イヤホンの既存技術が、一方には５−１０  ｃｍの音波チャンネルしかないため、もう一方には金属が備わっていませんシールドされた絶縁ラインは、２ｍＧ（ミリガウス、以下同じ）または２ｍＧ未満の要件を満たしておらず、２ｍＧまたは２ｍＧ未満の制御は、磁場が人体に有害であるためです。スタンフォード大学博士で携帯電話発明者で台湾交通大学のＳｈｉ  Ｍｉｎ教授からのリクエスト。したがって、先行技術のイヤホンは、電磁放射の上記の要件を満たすことができず、音の空洞などがない。したがって、周波数応答は良好ではありません。本発明者が出願した特許文献２：特許番号：２００８１０１６７２２６．５、および名称は安全イヤホンのアプリケーションドキュメント。安全イヤホンの５つの発明も開示されています。放射保護を実現し、音質を改善する方法が開示されています。この方法は、世界９か国から特許を取得していますが、この特許の音質は、従来のヘッドフォンの音質を超えていません。この出願は、音質が従来のヘッドフォンの音質を上回り、放射線を防ぐ効果をさらに改善し、放射線のない効果を達成できることを開示しています。
【先行技術文献】
【特許文献】
【０００４】
【特許文献１】中国特許ＺＬ０２２４４８２８．４
【特許文献２】中国特許２００８１０１６７２２６．５
【発明の概要】
【０００５】
したがって、人々は、電磁放射を防止し、より良い周波数応答を有し、より良いステレオ効果を有することができるイヤホン装置を非常に必要としている。
【０００６】
本発明は、有線の安全イヤホンと過安全ヘッドフォンを主に含む安全なイヤホンに関し、異なる周波数応答を有する複数のスピーカーをそれぞれ２つの耳で使用して聴取するため、周波数応答は特に良好であり、良好である。通常のイヤホン；さらに重要なのは、ノイズリダクションの特別なソリューションを設定することです。これは、アクティブノイズリダクション周波数信号の伝送をパッシブオーディオ信号の伝送に効果的に変換し、その後の伝送に復元するノイズ低減信号変換システムを備えていますエアチューブのパッシブオーディオ伝送の長さを１０００ｍｍにすることができるアクティブオーディオ信号。マイクを近づけたまま金属シールド線を設置するため、人体は通信の放射から遠ざかります。これにより、良好なノイズ低減効果と高度な放射保護、高音質が実現します。既存の耐放射線性イヤホンのマイクをエアチューブの外側に配置する必要があるという技術的な問題を解決します。マイクを離しすぎると、マイクの機能が影響を受け、音量が小さくなるためです。
【０００７】
したがって、本発明は確かに、高強度の放射線保護、高音質、およびノイズ防止を備えた優れた安全なイヤホンです。
【０００８】
安全なイヤホン、
【０００９】
耳栓ヘッド１は、耳栓ヘッド１の内部に形成された音腔体２と、音腔体２の第１の端部の放音口とを含む。
【００１０】
本体（４）には、音波集中空洞（１０）の内部に音波集中空洞１０が設けられている。音波集中空洞１０には通過開口が形成されており、通過口および音波空洞（２）の第２端は音波伝送路（３）を貫通している。
【００１１】
接続済みマイクロスピーカー（５）、音響波集中空洞（１０）は、マイクロスピーカー（５）と音響波伝送チャネル（３）との間に配置される。
【００１２】
小型スピーカ（５）は、本体（４）の外側に位置するワイヤ（８）の第１の端部に接続され、プラグ（９）は、ワイヤ（８）の第２の端部に接続される。
【００１３】
マイクまたはデバイスは、アクティブなオーディオ信号をパッシブな送信信号に変換し、アクティブな信号送信をノイズ低減変換送信システムに復元するように設定されています。
【００１４】
上記のような安全なイヤホン
【００１５】
本体には音波集光器が設けられており、その両端はマイクロスピーカー（５）の発音端の周囲と音波チャンネル開口部の一端に密閉接続されているため、マイクロスピーカー（５）の音波は音響空洞（１０）を通過します。音波伝送路（３）の他端は音空洞（２）に接続され、音空洞には音出口が設けられ、音空洞（２）の音出口にはソフトスリーブが設けられている。
【００１６】
上記のような安全なイヤホン、
【００１７】
本体（４）の内部にはマイク（６）が設置されており、本体（４）にはマイク（６）に対応する収容孔（１３）が設けられている。
【００１８】
スイッチ１２もまた本体（４）に取り付けられている。マイクロスピーカー（５）およびマイクロフォン（６）は両方ともスイッチ１２に接続され、その後、ワイヤ８に接続されている。
【００１９】
上記のような安全なイヤホン、
【００２０】
音波伝送路（３）は、絶縁材料製のチューブであり、音波伝送路３の内径は１〜６ｍｍ、長さは２０〜８００ｍｍである。
【００２１】
音響空洞（２）の容積は６００ｍｍ３−９０００ｍｍ３です。
【００２２】
サウンドアウトレットは穴であり、サウンドアウトレットの直径はφ１−８ｍｍ、またはサウンドアウトレットは複数のホールを含み、各ホールの直径はφ０．３−３ｍｍ。  
【００２３】
上記のような安全なイヤホン、音響波伝送チャネル（３）の長さは２０―１０００  ｍｍです。
【００２４】
上記のような安全なイヤホン
【００２５】
テーパー形状の音響空洞、逆ベルマウス形状を有する。
【００２６】
上記のような安全なイヤホン
【００２７】
テーパー形状の音響空洞の周囲の２組の斜辺または弧または曲線のうち、各斜辺は逆ベル口形状を形成し、１組の斜辺または弧または曲線によって形成される角度は９°から１３０°。
【００２８】
上記のような安全なイヤホン
【００２９】
テーパー形状の音響空洞の周りの斜辺または弧または曲線の２対のうちの少なくとも一方は対称的である。
【００３０】
上記のような安全なイヤホン
【００３１】
テーパー形状の音響空洞の周りの斜線または弧または曲線の２対は非対称である。
【００３２】
上記のような安全なイヤホン
【００３３】
逆ベルマウスの形状とは、テーパー形状の音響空洞の周囲が弧状の逆ベルマウス形状であること、またはテーパー形状の音響空洞の周囲が斜めの逆ベル形状であること、またはテーパー形状の音響空洞の周囲は、湾曲した逆ベル形状であるか、またはテーパー形状の音響空洞の周囲は、円弧形状または曲線の逆ベル形状と斜めの逆ベル形状からなる。
【００３４】
上記のような安全なイヤホン
【００３５】
テーパー形状の音響空洞の椎体の部分または椎体の底面に水平な部分は、楕円形、円形、長方形、または各隣接する２辺が円弧状に移行する多角形である。
【００３６】
上記のような安全なイヤホン
【００３７】
マイク（６）は、本体（４）の円形の穴に設置され、マイクの受信面が外側を向いており、周囲が密閉されているため、音は本体（４）の受信穴を通過した後、マイクの前面を通過します。表面収容穴は、さらにマイクロホン（６）に伝達される。
【００３８】
上記のような安全なイヤホン
【００３９】
音波伝送路（３）の一端は耳栓ヘッドの入力端に設置され、他端は音波集中空洞の小端に設置され、中空のリベット（１７−１）が音波伝送路（３）の端部に挿入されて拡張されます。音波伝送チャネルの両端は、それぞれイヤホンヘッドの入力端と音波コンセントレータの小端に固定され、音波コンセントレータの大端にはミニチュアスピーカーが装備されており、３つの接続は密閉されています。
【００４０】
上記のような安全なイヤホン
【００４１】
音波伝送チャネル（３）の一端は、耳栓ヘッドの入力端にスリーブが付けられ、他端は、音波コンセントレータの出力端にスリーブが付けられている。ソリッドコート（１７−２）。
【００４２】
上記のような安全なイヤホン
【００４３】
ワイヤ（８）は金属シールドされた絶縁ワイヤであり、ワイヤをアースにシールドします。  
【００４４】
上記のような安全なイヤホン
【００４５】
マイクロスピーカー（５）の数は１つ、音響波集中空洞（１０）の数は１つ、チャネルポートの数は１つである。マイクロスピーカー（５）から放出された音は、チャネルポートに接続された音波伝送チャネル（３）の１つに送られる。耳栓の１つ。
【００４６】
上記のような安全なイヤホン
【００４７】
マイクロスピーカ（５）の数は２であり、音波集中空洞（１０）の数は２であり、マイクロスピーカの１つは、音波集中空洞の１つの大端部に対応する。各音波集中空洞（１０）の小端部にチャネルポートを設置され、１つの前記チャネルポートは、１つの音響波伝送チャネルと１つの前記耳栓ヘッドに対応する。
【００４８】
上記のような安全なイヤホン
【００４９】
音響波集中空洞（１０）は、上が小さくて下が大きい構造になっている。
【００５０】
上記のような安全なイヤホン
【００５１】
小型スピーカー５は円形または楕円形である。
【００５２】
上記のような安全なイヤホン
【００５３】
小型スピーカ（５）は、本体４（４）内に垂直または斜めに配置されている。
【００５４】
上記のような安全なイヤホン
【００５５】
本体を使用しない場合、音響コンセントレーターとマイクロスピーカーはシェルとして設定され、マイクとスイッチおよびボリュームコントロールを取り付けるための小さなシェルが提供されます。
【００５６】
上記のような安全なイヤホン
【００５７】
エアダクトを２０ｍｍの長さに設定するか、金属シールドされた絶縁ワイヤを使用して放射を防ぎます。  
【００５８】
上記のような安全なイヤホン
【００５９】
エアダクト付きヘッドマウント型安全イヤホン：両耳に取り付けられたサウンドチャンバーは、エアダクト（８６）および（９２）のいずれかに２０〜１０００ｍｍの長さで接続されます。オーディオワイヤは、透明または不透明の金属シールド絶縁シールドでシールドされます。接地され、一端はプラグ（９８）に接続され、他端はスピーカー８８に接続され、マイク（９６）のオーディオワイヤの一端もプラグ（９８）に接続され、他端はスピーカー（９６）を拾います。マイク（９６）はスピーカー（８８）および（９４）から２０ｍｍ〜１００ｍｍの距離に保たれます。マイク（９６）にはケーシング（９６−１）が設けられている。
【００６０】
左右のスピーカーシェル、または２つのスピーカーキャビティを備えたスピーカーシェル（８９）および（９５）が設置され、それぞれスピーカー（８８）および（９４）が設置され、各スピーカー音口は音波集束器（８７）および（９３）の大端部に接続される。コンセントレータ（８７）および（９３）は逆ベルマウスであり、小端部は空気ダクト（８６）および（９２）に接続され、空気ダクト（８６）および（９２）の他端はヘッドギアに取り付けられた音響空洞（８５）および（９１）に気密に接続される。弓のフレームの両端は耳に固定されており、各スピーカーの音声口は対応する音波コンセントレーターとエアダクトで密閉されています。
【００６１】
２）上記の最初のヘッドフォンは単一タイプのスピーカーで、このアイテムは２つのタイプのスピーカーの音を聞くために片方の耳を設定します、つまり、上記ヘッドフォンの２つのスピーカー設置ケースが別々に追加されます。  １つのスピーカー（１０６）、（１１２）、追加のスピーカー（１０６）、（１１２）、および元のスピーカー（１０２）、（１１３）の周波数応答は異なります。つまり、高音と低音の１つのスピーカーが２つのスピーカーハウジングに平行な位置で取り付けられています。音波チャンネルが追加され、２つの音響室（１１７）および（１１８）を備えたイヤピース（１０７）と、２つの音響室（１１７−１）および（１１８−１）を備えたイヤホン（９９）が２つのイヤホン（９９）および（１０７）に設けられている。
【００６２】
３）上記の最初のヘッドフォンは単一タイプのスピーカーで、このアイテムは２つのタイプのスピーカーの音を聞くために片方の耳を設定します、つまり、上記ヘッドフォンの２つのスピーカー設置ケースが別々に追加されます。  １つのスピーカー（１０６）、（１１２）、追加のスピーカー（１０６）、（１１２）、および元のスピーカー（１０２）、（１１３）の周波数応答は異なります。つまり、高音と低音の１つのスピーカーが２つのスピーカーハウジングに平行な位置で取り付けられています。音波チャンネルが追加され、２つの音響室（１１７）および（１１８）を備えたイヤピース（１０７）と、２つの音響室（１１７−１）および（１１８−１）を備えたイヤホン（９９）が２つのイヤホン（９９）および（１０７）に設けられている。設置されたスピーカー、エアダクト、音響空洞の接続方法は、権利要求１の接続方法と同じです。
【００６３】
上記のような安全なイヤホン
【００６４】
１）  外部ワイヤー制御イヤホンの長さ２０−１０００ｍｍのエアダクト（１２７）のオプションセクションの一端を設定して、音波濃縮器（１２９）および（１３２）の小さな端にある２つの小さな穴（１２８）を接続し、２つの音波濃縮器（１２９）を構成します。  （１３２）および（１３２）の大端部にはそれぞれ、ダイナミックコイルスピーカー（１３０）および可動鉄スピーカー（１３３）、または異なる周波数応答を有するスピーカーが装備され、空気ダクト（１２７）の他端は音響空洞（１２５）に接続される。
【００６５】
または、モノラルイヤホンには、１つの可動鉄製スピーカー（１５６）と１つの可動コイルスピーカー（１５３）またはそれぞれに異なる周波数応答を持つ１つのスピーカーが提供され、それぞれが集音キャビティ（１５５）の大きな端に配置されます（  １５２）、対応する集音キャビティ（１５５）（１５２）はエアチューブ（１５１）（１５０）の一方の一端に個別に配置され、エアチューブ（１５１）（１５０）のもう一方の平行端は接続されます  リスニング用の耳栓（１４９）の対応する各音響空洞（１４７）（１４８）。
【００６６】
または、２種類のラウドスピーカー（１５３）の音波を耳栓（１４９）の音響空洞に送信して聞くために、２本のエアチューブ（１５１−１）（１５０−１）を平らな絶縁ホース（１５１−３）に開けます  ；  または、耳栓（１４９）に２つの音腔（１４７）（１４８）を設定し、１つの音腔（１４７）（１４８）の一端と２つの音の他端に接続された２つの空気チューブ（１５１）（１５０）  空洞（１４７）（１４８）を聞くために耳に入れた。  
【００６７】
上記のスピーカーと集音空洞の接続、集音空洞と第２段階の集音空洞の接続、集音空洞と空気管の接続、空気管と耳栓の接続はすべて、  可動スピーカーとコイルスピーカーの磁場を隔離し、金属を介するか、スピーカーを距離を置いて保持します。  
【００６８】
上記の設定は、片方の耳を聞くためだけにスピーカーとエアチューブとイヤープラグを備えた構造で、スピーカーから耳栓の音腔まで構造の２つのグループを設定する必要があります。  ２つのイヤホンには、可動鉄製スピーカー（１６６）（１６７）と可動コイルスピーカー（１６９）（１７８）が別々に用意されており、集音キャビティ（１６５）（１７５）および（１６８）の大きな端に対応して配置されています（１７７）。ここで、対応する集音キャビティ（１６５）（１７５）および（１６８）（１７７）は、エアチューブ（１６３）（１６４）および（１７３）（１７４）の一方の端、および他方の平行な端に別々に配置されますエアチューブ（１６３）（１６４）および（１７３）（１７４）は、耳栓（１６２）の対応する各音腔（１６０）（１６１）および耳栓（１７２）の音腔（１７０）（１７１）に接続されています）リスニング用（図２８のように）、デュアル周波数のステレオ有線イヤホンになるように、音質は良好ですが、ステレオサウンドも非常に強力です。    
【００６９】
上記のような安全なイヤホン
【００７０】
ヘッドセットに取り付けられたノイズリダクションイヤホンを使用しており、左耳用の聴覚カバー（１９５）、左耳用のケーシング（１９５−１）、右耳用の聴覚カバー１９４、右耳用のケーシング（１９５−２）、ヘッドバンド（１８５）、スイッチおよびスイッチケーシングを備えています。  （１９１）、ノイズ低減伝送アーム（１９８）、ノイズ低減コンバータ（１９６）、ハウジング（１９５−１）、スピーカーハウジング（１９０）、プラグ（１９３）；ノイズ低減変換システムが提供される：ノイズ低減マイクロホン、およびアクティブオーディオ信号がパッシブオーディオ信号に変換される。送信用に、マイクリード線をセカンダリまたはターシャリオーディオアンプ回路（図３２）に接続して、スピーカーを駆動します。回路は、選択したマイクのエアダクトの長さと直径に応じて選択されます。スピーカー（２０７）と（２０８）の音声口は音波に接続されますマイクロホン（２０５）および（２０６）の大端部、および音響コンセントレータ（２０５）および（２０６）の小端部は、リベットを介してマイクロホン空気ダクト（１８９−１）の一端に接続され、マイクロホン空気ダクト（１８９−１）の他端はホーン口キャビティ（２０３）の小端部に接続される。アクセントキャビティ（２０３）の大端は、セカンダリマイク（２０４）の受信面に接続されています。スピーカーの関節ポートからエアダクトを介したセカンダリマイクの受信面への接続は密閉されています。セカンダリマイクの他端はリード線で接続されています金属シールドワイヤ（１９３）の端部、前記金属シールド分離ライン（１９２）の他端は、プラグ（１９３）の一端に接続され、プラグ（１９３）の他端は、通信装置のコンセントに接続されています。
【００７１】
変換システムのアクティブ部分には、電子回路基板（図３２を参照）、電源回路とその要素を供給するバッテリー、バッテリーに接続された充電回路と充電ソケット、電源ＬＥＤ、電源スイッチが装備されています  、前述の変換システムのアクティブな信号要素はすべてコンバーターに取り付けられ、変換システムのスピーカーは最初のマイクの中央、または左耳ハウジング内の音腔の外側に取り付けられます（図  ３２）。  回路は、マイクエアチューブの長さに応じて回路の増幅電力を変更し、異なるチップと異なる回路を選択できます。
【００７２】
マイクの信号伝送はアクティブ伝送からパッシブ伝送に変換され、再びアクティブ伝送に復元されます。これにより、エアチューブを非常に長く設定でき、マイクは騒音出口を非常に近くに保ち、ノイズ低減を実現します  通信機器の害から耳と脳を非常に強力に保護します。  
【００７３】
図３３のように、左耳のエアチューブ（１８７−１）の一端は、音（２０９−１）を生成する音響空洞の入口に接続され、もう一方の端は、集音空洞（２０５）の大きい方の端部がスピーカ（２０７）に接続され、そのもう一方の端部が金属シールド線（１９２）に配線されている。右耳の空気管（１８８−１）の一端は、右空気管のもう一方の端が船外機に沿って左耳ケーシング（１９５−１）を通過するときに音を出す右音腔の入口に接続されています金属製ヘッドバンド（１８６）の左耳エアチューブ（１８７−１）がスピーカーケーシング（１９０）に平行で、右耳の集音キャビティ（２０６）の小さな端に接続され、そのもう一方の端が右耳スピーカー（２０８）の一端に接続され、右耳スピーカー（２０８）の他端はスイッチ（１９１）を介して金属シールド線（１９２）の一端に配線され、他端は金属シールド線（１９２）をプラグ（１９３）に接続するか、同じ接続方法で左右の耳のスピーカー、左右の耳の音収集キャビティ、およびスイッチケースの２番目のマイクの両方を取り付けます、音を生成する音の空洞の出口には、１つまたは複数の穴、ｔの対流穴があります前述のスピーカーは、ケーシングの外側に空気流を排出し、マイクはスピーカーから隔離されています。
【００７４】
３本の空気管は、並列に並んで結合され（図３３−１）、またはすべてが一緒に結合され、その断面が三角形状（図３３−４）、またはすべてが一緒に結合されて可撓性材料で覆われる。外側とその断面は三角形です。  
【００７５】
または、スピーカーケーシングから右耳音腔の入口まで斜めに引っ張られた右の空気管を設定します。これは、金属製のヘッドバンドを通過していません。    
【００７６】
または、前述の３つの空気管は、スイッチケーシングのＥ側から引き出され、左耳ケーシングの内側に接続される。
【００７７】
モノラル回路として使用される耳のヘッドフォンに対するノイズリダクションセーフは、左右の耳のスピーカーを１つの集音空洞によって１つの音波伝達チューブに接続された１つのスピーカーに統合し、音波伝達チューブをティーの入口に接続する左耳の音の空洞の場合、前述のティーには、左耳の音の空洞の入口に接続された１つの出口と、ヘッドバンドに沿った１つの音波伝達チューブによって左耳の音の空洞に接続された出口があります。
ケーシングの各継ぎ目は、組み立てられるときに接着され、防水されなければならない。  
【００７８】
ケーシングの各継ぎ目は、組み立てる際に接着し、防水する必要があります。
【００７９】
耳モノラルヘッドフォンで安全なノイズリダクション
【００８０】
耳モノラルヘッドフォンのノイズリダクションセーフには、ケーシング（２００−１）に取り付けられた柔軟な弓クリップ（１９９）、弓クリップの終点に取り付けられた円形またはその他の形状のクランプ片２０１が備わっています。
【００８１】
マイクロホン空気管（２０６）の一端は、変換器の集音空洞の小端に接続され、その大端は、変換器のスピーカーの音声出口面に接続され、  他端はテーパー形状の音響空洞（２０３−１）の小端に接続され、その大端は第２のマイクロホン（２０４−１）の受音面に接続され、  第２のマイクロホン（２０４−１）は、金属シールド線（２０５）の一端に配線され、そのもう一端はプラグ（２０６）に接続されています。
【００８２】
左耳のエアチューブ（２００−１）の一端は、ケーシング（２００−の内部）で音を生成する音響空洞（図３３−２の構造、音響空洞番号：２０９−２）の入口に接続されています。  １）一方、他端は集音空洞（２０５−１）の小端に接続され、その大端はスピーカー（２０７−１）の一端に接続され、スピーカー（２０７−１）の他端は配線されています  金属シールド線（２０５）の一端に、金属シールド線（２０５）の他端がプラグ（２０６）に接続され、マイクロフォン、左耳スピーカーおよび集音キャビティは、セパレーターを使用する。音を分離します。
【００８３】
マイクの信号伝送はアクティブ伝送からパッシブ伝送に変換され、再びアクティブ伝送に復元されます。これにより、エアチューブを非常に長く設定でき、マイクは騒音出口を非常に近くに保ち、ノイズ低減を実現します  通信機器の害から耳と脳を非常に強力に保護します。
【００８４】
上記のような安全なイヤホン
【００８５】
ノイズリダクションの安全なモノラルイヤーフックイヤホンにはスリーインワンブラケット本体が備えられ、本体にはイヤーフック（２１１）が備えられ、その前面にはノイズリダクション伝送アーム（  １９８−２）変換システム（１９６−２）を端部に持ち、本体にはその中に音腔のある耳栓（図３３−２の構造、音腔番号２０９−３）があります。  耳栓の空気管（２１２）の端部は音空洞（２０９−３）の入口に接続され、空気管（２１２）のもう一方の端は集音空洞（２１２）の小さな端部に接続されます  −１）スピーカー（２１４−１）を大きな端に取り付け、スピーカー（２１４−１）と２番目のマイク（２１４−２）の両方を、音の干渉を避けるためにスピーカーケーシング（２１４）に別々に取り付けます。
【００８６】
上記のような安全なイヤホン
【００８７】
携帯用ハンドヘルド安全ヘッドセットは、上部に上部カバー（２２８）を備えた受信機音空洞（２１８）を有するハンドアーム（２３０）を備え、音空洞（２１８）の一端は  エアチューブ（２２０）の一端に接続され、エアチューブ（２２０）の他端は集音キャビティ（２２２）の小さな端、集音キャビティ（２２２）の大きな端に接続されます  スピーカー（２２４）に接続され、スピーカー（２２４）の接続線とマイク（２２３）の接続線は、スイッチ（２３１）によって金属シールド線（２２６）に接続され、  ワイヤー（２２６）はプラグ（２２５）に接続されています。    
【００８８】
スイッチ（２３１）は、ポータブルハンドヘルドセーフヘッドセットの中央の側面に設定され、スイッチ（２３１）のボタンは、スピーカー（２２４）を切断または接続するリンクの機械的伝達により電気スイッチを操作します。  マイク（２２３）；  または、スイッチのボタンの上部でマイクロスイッチ（２３３）の長いアーム（２３２）を押し上げて、マイクロスイッチ（２３３）を切断または接続し、アクティブな回路が常に  人間の脳、マイクとスピーカーは、本体の下で音が互いに分離されている２つの空洞に取り付けられ、マイクのワイヤはセパレータを通過した後、接着剤で密封されているため、配置は良好です  抗放射線効果、本体ケーシングは、上下のアセンブリによって分解または組み立てることができます。ケーシングの各縫い目は、組み立てるときに接着して防水する必要があります。
【００８９】
上記のノイズ低減ポータブルハンドヘルドセーフヘッドセットは、通信デバイスを接続するか、固定電話に直接接続して使用できます。  
【００９０】
ノイズリダクションポータブルハンドヘルドセーフヘッドセットの本体の下部（２３０−１）にノイズリダクションマイク信号変換システムが装備されていることです：アクティブオーディオ信号からパッシブオーディオ信号への伝送を変換し、設定しますスピーカー（２３８）を駆動するために第２の音声増幅回路に配線された第１のマイクロホン（２３９）、スピーカー（２３８）の音出口は集音空洞（２３６）の大端に接続され、その小端はマイクロフォンエアチューブ（２４０）の一端にリベットで留められ、マイクロフォンエアチューブ（２４０）の他端はテーパー形状の音響空洞（２４３）の小端に接続され、その大端は接続されます第２のマイクロホンの受音面に対して、マイクロホンと第２のマイクロホンの受音面との間の接続がシールされ、第２のマイクロホン（２４３）の他端は、第２のマイクロホンの一端に配線される。金属シールドｗワイヤ（２４５）のもう一方の端はプラグ（２４６）に接続されています。
【００９１】
変換システムのアクティブ部分には、電源回路とその要素に電力を供給するバッテリー、バッテリーと充電ソケットに接続された充電回路、ＬＥＤ、スピーカー（２３８）および第１のマイク（２３９）が別々に取り付けられています  本体（２３０−１）内で音が互いに分離されている２つの空洞では、最初のマイクのワイヤはセパレータを通過した後、接着剤で密封されています。
【００９２】
第２のマイクロホン（２４３）およびスピーカー（２４１）は、ケーシング（２３０−２）内に配置され、音響バッフルによって分離され、スピーカー（２４１）の受音面は、集音器の大きな端部に接続される。  キャビティ（２４２）、その小さい端はスピーカー（２４１）のエアチューブに接続されています。  スピーカーのエアチューブのもう一方の端は、音の空洞（２８１−１）の一方の端に接続されています。  スピーカー（２４１）は、金属シールド線（２４５）の一端に配線され、その他端はプラグ（２４６）に接続されている。  
【００９３】
本体のケーシングは、上部および下部を密閉することにより分解され、接合面および他の露出した継ぎ目は、組み立て時に接着剤および防水で密閉されるべきである。
【００９４】
ノイズ低減ポータブルハンドヘルドセーフヘッドセットは、通信デバイスを接続するか、固定電話に直接接続することで使用できます。
【００９５】
革製のヘッドバンド、ステッチされたスチール製のヘッドボウ（２４７）、ヘッドボウ（２４７）、および調整可能なブラケット（２５１）がネジで固定された構造のノイズリダクション航空オーバーイヤーセーフヘッドフォンです。  調整可能なブラケット（２５１）と固定ブラケット（２５２）は、セルフロックナットで固定され、固定ブラケット（２５２）はロックピラーを介して左耳ケーシング（２５３）に接続されます。  右耳ケーシング（２５０）は、左耳ケーシング（２５３）と対称的かつ同じ方法で接続および固定されています。
【００９６】
第１の騒音低減マイクは、可変ギア付きのユニバーサルホース（２５５）に接続された騒音低減コンバータケーシング（２５４）に取り付けられ、左耳と右耳の音腔は耳ケーシングに配置され、エアチューブ（２５８）  右耳腔を通過し、右耳ケーシング内の音腔に鋼の弓（２４７）に沿って接続されるか、スピーカーケーシング（２５６）から右耳ケーシングに斜めに引っ張られ、  その中の音腔に、または左右の音腔を別々にエアチューブに接続します（図４２、図４３のように）
【００９７】
異なる周波数応答を持つ３つのスピーカー、異なる応答を持つ３つの音波伝送チャンネル、片耳または両耳用の音波伝送チャンネルのチャンネルとワイヤーに接続された音室、２つのイヤホンに可動鉄製スピーカー（１６６）（１７６）と可動コイルスピーカー（１６９）（１７８）が別々に設けられており、それぞれが個別に集音キャビティ（１６５）の大きな端に配置されている（  １７５）および（１７８）（１７７）、集音キャビティ（１６５）（１７５）および（１７８）（１７７）は、エアチューブ（１６３）（１６４）および（１７３）（  １７４）平行端が耳栓（１６２）内の音腔（１６０）（１６１）と耳栓（１７２）内の音腔（１７０）（１７１）に個別に接続され、もう１組のスピーカーを追加します。  ３つの異なる周波数でスピーカーを設定する。
【００９８】
ステレオモデルは、超高音質の安全なイヤホンです。
【００９９】
片耳または両耳の周波数応答が異なる複数のスピーカーを個別に提供するように設定されているのは、高音質のノイズ低減安全イヤホンです。
【０１００】
エアチューブ１Ａの両端と集音空洞または音響空洞２Ａはすべて中空３Ａまたは接着剤または他の方法で固定され、エアチューブ６Ａの形状は真っ直ぐな形状を部分的に含む。スパイラル形状、すべてのスパイラル形状、または真ん中のスパイラルと両端が真っ直ぐな形状、または耳に引っ掛けることができるベンド４Ａになるようにエアチューブを設定すると、ベンド４Ａの端点には音の空洞。
【０１０１】
ワイヤの一部を真っ直ぐに、または全部をらせん状に、または１つの部分をらせん状に、そして１つの部分をらせん状に、または１つの部分をらせん状に、その両端をまっすぐに設定する。または、エアチューブを耳に引っ掛けることができるベンド４Ａに設定し、耳栓５Ａを耳に入れて聴きます。    
【０１０２】
空気対流のための微小孔を開けるために、音腔の側面または背面の適切な位置を選択する。小さなマイクロホールのサイズは、音量に影響します。  
【発明の効果】
【０１０３】
ラジオで送信される電力は携帯電話の電力よりもはるかに大きく、ラジオ局で働く人は一日中ヘッドフォンを着用するため、放射を防ぐことが非常に必要です。本発明のノイズ低減抗放射線イヤホンは、アクティブ信号をパッシブ信号に変換して超高放射線耐性効果を達成することにより、空気管を１０００ｍｍ、または３０００〜７０００ｍｍの長さ、またはさらに長く設定することができる。放射は減衰距離の２乗に反比例するため、エアチューブの長さが長くなるため、耐放射線性能はその長さの２乗に比例して増加し、耐放射線性能が大幅に向上します。したがって、耐放射線性イヤホンは本当に必要です。
また、医療またはその他の機器の電磁場スキャン領域でリスニングまたはスピーキング用のイヤホンとして使用でき、電磁場スキャン領域での本発明のイヤホンの使用は、スキャン効果と品質に影響を与えません。したがって、良い効果が得られます。
また、イヤホンから使用場所近くのデバイスへの信号の干渉を防ぐためにも使用できます。
【図面の簡単な説明】
【０１０４】
【図１】図１は、垂直に配置された２つのラウドスピーカーと集音空洞を有する、本発明による安全なイヤホンの右側の概略図である。
【０１０５】
【図２】図２は、本発明による安全なイヤホンの主要な概略図であり、垂直に配置された２つのラウドスピーカーと集音空洞を有する。
【０１０６】
【図３】図３は、本発明による安全なイヤホンの右側の概略図であり、１つの拡声器が平らにまたは斜めに配置され、対称的な収音空洞を有する。
【０１０７】
【図４】図４は、本発明による安全なイヤホンの主要な概略図であり、１つの拡声器が平らにまたは斜めに配置され、対称的な集音空洞を有する。
【０１０８】
【図５】図５は、本発明による、１つのラウドスピーカ、１つの音波伝送チャネル、および対称的な収音キャビティを備えた小さな密閉ボックスの概略図である。
【０１０９】
【図６】図６は、本発明による集音空洞の矩形Ａ−Ａ断面図である
【０１１０】
【図７】図７は、本発明による集音空洞の楕円Ａ−Ａ断面図である。
【０１１１】
【図８】図８は、本発明による集音空洞の円形Ａ−Ａ断面図である。
【０１１２】
【図９】図９は、本発明によるマイクロホンの設置の概略図である。
【０１１３】
【図１０】図１０は、本発明によるマイクロホンの設置の概略図である。
【０１１４】
【図１１】図１１は、本発明によるマイクロホンの設置の断面図である。
【０１１５】
【図１２】図１２は、リベットの固定方法の概略図である。
【０１１６】
【図１３】図１３は、ナットの固定方法の概略図である。
【０１１７】
【図１４】図１４は、本発明による安全なイヤホンの主要な概略図であり、外部プラグにスイッチが設けられたケーシング内に全体的に配置された耳栓、マイクロスピーカおよびマイクロホンを有する。
【０１１８】
【図１５】図１５は、本発明による安全なイヤホンの主な概略図であり、イヤプラグおよびマイクロスピーカの両方がケーシング内に配置され、マイクロフォンおよびスイッチの両方が小さなケーシング内に配置されている。もう一方の端は、金属シールド線に接続されています。
【０１１９】
【図１６】図１６は、本発明による安全なイヤホンの主要な概略図であり、二つの耳栓と二つのマイクロスピーカが別々に配置されており、ケーシング、マイクロフォンとスイッチの両方が小さなケーシングに配置されている。もう一方の端は、金属シールド線に接続されています。
【０１２０】
【図１７】図１７は、本発明による安全なイヤホンの主要な概略図であり、そこに配置された耳栓およびマイクロスピーカを有し、音響空洞全体、マイクロフォン、およびスイッチが小さなケーシング全体に配置されている。
【０１２１】
【図１８】図１８は、本発明による安全なイヤホンの主要な概略図であり、２つの耳栓と２つのマイクロスピーカが配置され、２つの音響空洞、マイクとスイッチが配置されている。
【０１２２】
【図１９】図１９は、オーバーイヤーセーフエアチューブステレオヘッドフォンの概略図である。
【０１２３】
【図２０】図２０は、図１９のような構造に基づいて、スピーカ１０５、１１１と、対応する空気管および音響空洞とをさらに備えたイヤホンの概略図である。
【０１２４】
【図２１】図２１は、２つの音響空洞の空気管と音響収集空洞の密封接合部の断面図である。
【０１２５】
【図２２】図２２は、２つの音響空洞の断面図である。
【０１２６】
【図２３】図２３は、放射線保護を達成するために金属シールド線を採用したオーバーイヤー放射線耐性ヘッドフォンの側面断面図である。
【０１２７】
【図２４】図２４は、放射線保護を達成するために金属シールド線を採用したオーバーイヤー放射線耐性ヘッドフォンの概略図である。
【０１２８】
【図２５】図２５は、リスニング用の空気管によって音室に接続された異なる周波数応答を有する２つのスピーカーを有する有線イヤホンの概略図である
【０１２９】
【図２６】図２６は、片方の耳を聞くための空気管を備えた音響室に接続された異なる周波数応答を有する２つのスピーカーを有する有線イヤホンの概略図である。
【０１３０】
【図２７】図２７は、１つの耳を聞くための２つの空気管により２つの音響空洞に接続された異なる周波数応答を有する２つのスピーカーを有する有線イヤホンの概略図である。
【０１３１】
【図２７−１】図２７−１は、ケーシングを通過する２つの空気管の構造図である。
【０１３２】
【図２７−２】図２７−２は、麺の形状をした２チューブ一体型エアチューブの概略図である。
【０１３３】
【図２８】図２８は、２つのリスニング用の２つの空気管により２つの音室に接続された異なる周波数応答を有する２つのスピーカーの２つのグループを有するステレオ有線イヤホンの概略図である。
【図２８−１】図２８−１は、図２８の一部拡大図である。
【０１３４】
【図２９】図２９は、イヤヘッドフォン上のノイズリダクションセーフの側面断面図である。
【０１３５】
【図３０】図３０は、イヤヘッドフォン上の騒音低減金庫の正面図である。
【０１３６】
【図３１】図３１は、イヤヘッドフォン上のノイズリダクションセーフの上面図です。
【０１３７】
【図３２】図３２は、マイクロホンの音声信号を増幅して音声に変換する音声変換器の回路原理図であり、充電と電力供給の原理回路を備えている。回路は、マイクエアチューブの長さに応じて回路の増幅電力を変更して、異なるチップと異なる回路を選択できます。
【０１３８】
【図３３】図３３は、左右の耳の音波チャネル、スピーカー、マイクロフォンの空気管、および第１のマイクロフォンを有する、イヤヘッドフォン上のノイズリダクションセーフの構造の概略図である。
【０１３９】
【図３３−１】図３３−１は、並んで並列に接合された３つの空気チューブの概略図である。
【０１４０】
【図３３−２】図３３−２は、スピーカーの音波チャンネルと音腔との間の接続の概略図である。
【０１４１】
【図３３−３】図３３−３は、別の種類の音響空洞の概略図である。
【０１４２】
【図３３−４】図３３−４は、三角形の断面形状を有する、互いに結合された３つの空気チューブの概略図である。
【０１４３】
【図３４】図３４は、騒音低減モノラルオーバーイヤーヘッドフォンの構造の側断面図である。
【０１４４】
【図３５】図３５は、ノイズ低減モノラルオーバーイヤーヘッドフォンの構造の正面図である。
【０１４５】
【図３６】図３６は、ノイズ低減安全なモノラル耳フックイヤホンの構造の概略図である。
【０１４６】
【図３７】図３７は、携帯用の手持ち式の安全なヘッドセットの構造の全断面図である。
【０１４７】
【図３８】図３８は、携帯用の手持ち式安全ヘッドセットとロングポールスイッチの両方の外観の概略図である。
【０１４８】
【図３９】図３９は、携帯用ハンドヘルド安全ヘッドセットの外観とスイッチの両方の構造の概略図である。
【０１４９】
【図４０】図４０は、スイッチボタンから離れたマイクロスイッチを有するスイッチの構造の概略図である。
【０１５０】
【図４１】図４１は、ノイズ低減携帯用ハンドヘルド安全ヘッドセットの置換構造の概略図である。
【０１５１】
【図４２】図４２は、騒音低減航空用オーバーイヤーセーフヘッドフォンの構造の側断面図である。
【０１５２】
【図４３】図４３は、騒音低減航空用オーバーイヤーセーフヘッドフォンの構造の正面断面図である。
【０１５３】
【図４４】図４４は、耳に湾曲して引っ掛けられたエアチューブまたは導体の構造の正面断面図である。
【０１５４】
【図４５】図４５は、エアチューブまたは導体によって耳に湾曲して引っ掛けられた耳栓の構造の側断面図である。
【０１５５】
【図４６】図４６は、中空リベットによって音響空洞に接続された空気管の概略図である。
【発明を実施するための形態】
【０１５６】
実施形態１
【０１５７】
上記のような安全なイヤホン
【０１５８】
音出口を有する第１の端部を有する音空洞（２）を備えたイヤホンヘッド（１）を含む。
【０１５９】
チャンネル開口部を有する集音空洞（１０）を備えた本体（４）。チャンネル開口部は、音波伝送チャンネル（３）を介して音腔（２）の第２の端部に接続される。
【０１６０】
収音空洞（１０）がマイクロスピーカー（５）と音波伝送チャネル（３）との間にある、マイクロスピーカー（５）。
【０１６１】
ここで、マイクロスピーカは、本体（４）の外側の導体（８）の第１の端部に接続され、導体（８）の第２の端部はプラグ（９）に接続される。
【０１６２】
マイクは、アクティブオーディオ信号をパッシブ送信信号に変換し、再びアクティブオーディオ信号に復元する変換システムとして設定される。
【０１６３】
実施形態  ２
【０１６４】
上記のような安全なイヤホン
【０１６５】
本体には、マイクロスピーカ（５）の１つの放音端と音波チャンネルスロットの一端に気密に接続された２つの端を有する集音空洞がその中に設けられる。マイクロスピーカー（５）の音波を、音波伝送チャネル（３）によって集音空洞（１０）を介して音響空洞（２）に伝送し、音響空洞（２）には音出口が設けられている上部カバーのサウンドアウトレット用のスリーブ。
【０１６６】
実施形態  ３
【０１６７】
上記のような安全なイヤホン
【０１６８】
本体（４）にマイクロフォン（６）が設けられ、本体（４）はマイクロフォン（６）に対応する受音孔（１３）を有することを特徴とする。
【０１６９】
本体（４）にはスイッチ（１２）が設けられている。マイクロスピーカー（５）とマイクロフォン（６）は両方ともスイッチ（１２）に接続され、その後導体８に接続されます。  
【０１７０】
実施形態  ４
【０１７１】
上記のような安全なイヤホン
【０１７２】
音波伝送チャネル（３）が絶縁材料製のチューブであり、音波伝送（３）の内径が３ｍｍであり、長さが３００ｍｍであることである。
【０１７３】
音腔の容積は１５００ｍｍ３である。
【０１７４】
音響出口は、２ｍｍの直径Фを有する穴であるか、または各穴が２ｍｍの直径ｓｅｖｅｒａｌを有するいくつかの穴を有する。
【０１７５】
実施形態  ５
【０１７６】
上記のような安全なイヤホン
【０１７７】
その特徴は、音波伝送チャネル（３）の長さが５００ｍｍである。
【０１７８】
実施形態  ６
【０１７９】
上記のような安全なイヤホン
【０１８０】
集音空洞の周辺にある２対のベベルエッジが逆テーパー形状である。また、各ペアのベベルエッジ間の角度は６０°です。
【０１８１】
実施形態  ７
【０１８２】
上記のような安全なイヤホン
【０１８３】
収音キャビティ（１０）の周囲の２つの対の曲線縁部間に少なくとも１つの対があることを特徴とし、対称的である。
【０１８４】
実施形態  ８
【０１８５】
上記のような安全なイヤホン
【０１８６】
テーパー形状の音響空洞の周囲にある２対のアークエッジの両方が非対称である。
【０１８７】
実施形態  ９
【０１８８】
上記のような安全なイヤホン
【０１８９】
逆テーパー形状とは、テーパー形状の音響空洞の周囲が逆テーパー形状であり、周囲がベベルラインによって形成されていることを意味する。
【０１９０】
実施形態  １０
【０１９１】
上記のような安全なイヤホン
【０１９２】
テーパー形状の音響空洞の周辺は、逆テーパ形状であり、周辺は、円弧（または曲線）線と斜角線によって形成される。
【０１９３】
実施形態  １１
【０１９４】
上記のような安全なイヤホン
【０１９５】
コーンの断面が、テーパー形状の音響空洞が楕円形であることである。
【０１９６】
実施形態  １２
【０１９７】
上記のような安全なイヤホン
【０１９８】
コーンの底部に平行な断面が、テーパー形状の音響空洞が多角形であり、隣接する辺が弧線によって形成されていることである。
【０１９９】
実施形態  １３
【０２００】
上記のような安全なイヤホン
【０２０１】
マイクロホン（６）は、本体（４）の円形の穴に取り付けられ、その受音面は外側に面し、周囲で密閉されているため、音は受音穴を通して送られる。本体（４）からマイク（６）に、マイクの受音面の前にある受音の小さな穴があります。
【０２０２】
実施形態  １４
【０２０３】
上記のような安全なイヤホン
【０２０４】
音波伝送チャネル（３）の一端がイヤホンヘッドの入口に固定され、他端が集音キャビティの小端および音波伝送の両端に固定されていることである。チャンネル（３）は中空のリベット（１７−１）で膨らんでおり、音波伝送チャンネルはイヤホンの入口と、マイクロスピーカーが大きな端に取り付けられた集音キャビティの小さな端に固定されています。それらの３つのジョイントはシールされています。  
【０２０５】
実施形態  １５
【０２０６】
上記のような安全なイヤホン
【０２０７】
音波伝送チャネル（３）の一端がイヤホンヘッドの入口に挿入され、他端が集音キャビティの出口に挿入されていることである。また、音波伝送チャネル（３）の両端は、締め付けのために外側がジャケット（１７−２）で覆われています。
【０２０８】
実施形態  １６
【０２０９】
上記のような安全なイヤホン
【０２１０】
導体（８）は、金属シールド線を使用して、導体を接地させる。
【０２１１】
実施形態  １７
【０２１２】
上記のような安全なイヤホン
【０２１３】
マイクロスピーカ（５）の数は１であり、集音キャビティ（１０）の数は１であり、チャネル開口部の数は１であり、マイクロスピーカからの音は、  −スピーカー（５）は、チャンネル開口部の１つに接続された音波伝送チャンネル（３）の１つを介して、イヤホンヘッド（１）の１つに伝送されます。
【０２１４】
実施形態  １８
【０２１５】
上記のような安全なイヤホン
【０２１６】
マイクロスピーカ（５）の数が２であり、収音キャビティ（１０）の数が２であり、１つのマイクロスピーカが１つの収音キャビティ（１０）の大きな端部に対応することを特徴とする。  ）および各集音空洞の小さい端には１つのチャネル開口部があり、１つのチャネル開口部は１つの音波伝送チャネルと１つのイヤホンヘッドに対応します。
【０２１７】
実施形態  １９
【０２１８】
上記のような安全なイヤホン
【０２１９】
集音キャビティ（１０）は、小さな上部と大きな底部を備えた構造を有する。
【０２２０】
実施形態  ２０
【０２２１】
上記のような安全なイヤホン
【０２２２】
マイクロスピーカー（５）が丸い形状である。
【０２２３】
実施形態  ２１
【０２２４】
上記の安全なイヤホン装置
【０２２５】
マイクロスピーカ（５）は、本体（４）内に垂直に配置される。
【０２２６】
実施形態  ２２
【０２２７】
上記のような安全なイヤホン
【０２２８】
本体としては設けられず、集音キャビティとマイクロラウドスピーカを一緒にケーシングとして備え、マイクロフォン、スイッチおよび音量調節キーを取り付けるための追加の小さなケーシングを備えている。
【０２２９】
実施形態  ２３
【０２３０】
上記のような安全なイヤホン
【０２３１】
放射を防止するために金属シールド線のみが採用される。
【０２３２】
実施形態  ２４
【０２３３】
上記のような安全なイヤホン
【０２３４】
長さが６００ｍｍである空気管（８６）（９２）に接続された２つの音室を有する本実施形態の安全なオーバーイヤー空気管ヘッドホンは、外部透明の層を使用することを特徴とする。または不透明な金属シールド線で接地し、オーディオケーブルの一端をプラグ（９８）に接続し、もう一端をスピーカー（８８）に接続します。レシーバーのオーディオケーブルの一端（９６）  ）はプラグ（９８）にも接続され、もう一方の端はスピーカー（８８）（９４）から５０  ｍｍの距離に保たれたレシーバー（９６）に接続され、マイク（９６）にはハウジング（  ９６−１）、またはいくつかのマイクロフォンとスピーカーがハウジングに取り付けられ、干渉を互いに分離し、構造がより単純であるため、体積が小さくなるようにします。
【０２３５】
実施形態  ２５
【０２３６】
上記のような安全なイヤホン
【０２３７】
２つのラウドスピーカーキャビティ（８９）（９５）を備えた２つのラウドスピーカーハウジング（８９）（９５）を備え、２つのラウドスピーカー（８８）（９４）が別々に取り付けられていることを特徴とする。逆テーパー形状の集音空洞（８７）（９３）の大きな端に合わせて、小さな端をエアチューブ（８６）（９２）の一端とエアチューブの他端に接続します（８６）（９２）は音を発生する音の空洞に気密に接続され、音（８５）（９１）を生成します。ここで、音の空洞（８５）（９１）は、頭の弓の両端に取り付けられており、音の継ぎ目です各ラウドスピーカーの出口とそれに対応する集音空洞とエアチューブは密閉されており、他の設定はすべて請求項２４と同じです。  
【０２３８】
実施形態  ２６
【０２３９】
上記のような安全なイヤホン
【０２４０】
実施形態の本例は、片耳聴取用の２種類のスピーカー、すなわち、請求項２４に記載のヘッドフォンの２つのスピーカーハウジングの両方が、もう１つのスピーカー（１０６）（１１２）に別々に取り付けられていることを特徴とする、追加されたスピーカー（１０６）（１１２）の周波数応答は、元のスピーカー（１０２）（１１３）の周波数応答とは異なります。つまり、２つのスピーカーハウジングの両方にそれぞれ１つの高周波および低音声スピーカーが取り付けられています。音波伝送チャネルをもう１つ並列に追加すると、２つのレシーバー（９９）（１０７）の両方に、ダブルサウンドキャビティ（１１７）（１１８）のレシーバー（１０７）とダブルサウンドキャビティ（１１７−１）（１１８−１）、追加されたスピーカー、エアチューブ、サウンドチャンバーの接続方法は、請求項２４と同じです。
【０２４１】
実施形態  ２７
【０２４２】
上記のような安全なイヤホン
【０２４３】
この実施形態におけるエアチューブのないオーバーイヤーヘッドフォンは、請求項１に記載の構造に基づいてエアチューブを取り外し、スピーカー（１２０）（１２０−１）を音響空洞（１１９）（  １１９−１）、オーディオケーブルの一端はスピーカー（１２０）（１２０−１）に接続され、他端はプラグ（１２４）に接続され、レシーバー（１２１）のコンダクターの一端プラグ（１２４）にも接続され、もう一方の端は、調整可能な支持ホース（１２４）または金属ワイヤによってレシーバー（１２１）の終点に接続されます。採用されたケーブルは、外部から透明または不透明な金属でできています１つまたは複数の個別接地または複数の複合接地を設定することにより、ケーブルを接地する層のシールド線。または、サウンドキャビティに周波数応答の異なる２つのスピーカーを設置します。これにより、周波数応答が非常に広くなり、音質が非常に良好になります。
【０２４４】
実施形態  ２８
【０２４５】
上記のような安全なイヤホン
【０２４６】
長さ５００ｍｍの有線イヤホンの空気管（１２７）を設定し、その一端を２つの集音空洞（１２９）の小端の交差部の小穴（１２８）に接続すること）（１３２）、１つの可動コイルスピーカー（１３０）と１つの可動鉄製スピーカー（１３３）を設置し、エアチューブ（１２７）のもう一方の端を音響空洞（１２５）に接続します。
【０２４７】
上述のラウドスピーカーと集音空洞の接続、集音空洞と第２段階の集音空洞の接続、集音空洞と空気管の接続、空気管と耳栓の接続はすべて密閉するように設定し、可動スピーカーとコイルスピーカーの磁場を金属で隔離します。
【０２４８】
実施形態  ２９
【０２４９】
上記のような安全なイヤホン
【０２５０】
それぞれが集音空洞（１４２）（１４０）に取り付けられた２つのラウドスピーカー（１４３）（１４４）を有し、対応する集音空洞（１４２）（１４０）の小端から音を伝達することを特徴とする。第２段階の集音空洞（１３９）の大きな端部、第２段階の集音空洞（１３９）の小さな端は、空気管（１３８）の一端、空気管の他端（  １３８）は、リスニングのために対応する耳栓（１３７）の音響空洞（１３６）に接続されています。他の構造は、実施形態２８と同じままである。
【０２５１】
実施形態  ３０
【０２５２】
上記のような安全なイヤホン
【０２５３】
この実施形態のモノラルイヤホンには、１つの可動鉄製スピーカー（１５６）と１つの可動コイルスピーカー（１５３）が設けられ、それぞれが集音キャビティ（１５５）の大きな端部に配置されていることである（  １５２）、対応する集音キャビティ（１５５）（１５２）はエアチューブ（１５１）（１５０）の一方の一端に個別に配置され、エアチューブ（１５１）（１５０）のもう一方の平行端は接続されます耳栓（１４９）の対応する各音腔（１４７）（１４８）に聞いてください。他の構造は、実施形態２８と同じままである。
【０２５４】
実施形態  ３１
【０２５５】
上記のような安全なイヤホン
【０２５６】
平坦な絶縁ホース（１５１−３）内の２つの空気チューブ（１５１−１）（１５０−１）を開き、２種類のラウドスピーカー（１５３）の音波を音響空洞に伝達することである。リスニング用の耳栓（１４９）。他の構造は実施形態と同じままである。
【０２５７】
実施形態  ３２
【０２５８】
上記のような安全なイヤホン
【０２５９】
耳栓（１４９）に２つの音響空洞（１４７）（１４８）を設定し、１つの音響空洞（１４７）（１４８）の一端に接続された２つの空気管（１５１）（１５０）と２つの音響空洞（１４７）（１４８）のもう一方の端は、聞くために耳に入れられました。他の構造は、実施形態２８と同じままである。
【０２６０】
実施形態  ３３
【０２６１】
上記のような安全なイヤホン
【０２６２】
本実施形態のイヤホンは２つの耳を聞くためのものであり、２つの耳を聞くために提供されている間、スピーカーから耳栓の音腔まで構造の２つのグループを設定する必要があります。可動鉄製スピーカー（１６６）（１６７）および可動コイルスピーカー（１６９）（１７８）は、集音キャビティ（１６５）（１７５）および（１６８）（１７７）の大きな端に対応して配置されています。ここで、対応する集音キャビティ（１６５）（１７５）および（１６８）（１７７）は、エアチューブ（１６３）（１６４）および（１７３）（１７４）の一方の端、および他方の平行な端に別々に配置されるエアチューブ（１６３）（１６４）および（１７３）（１７４）は、耳栓（１６２）の対応する各音腔（１６０）（１６１）および耳栓（１７２）の音腔（１７０）（１７１）に接続されていますデュアル周波数のステレオ有線イヤホンになるため、音質だけでなく、ステレオサウンドは非常に強いです。  
【０２６３】
実施形態  ３３’
【０２６４】
上記のような安全なイヤホン
【０２６５】
本実施形態の耳かけ型ヘッドホンの騒音低減金庫は、左耳カップ（１９５）、音室ケーシング（１９５−３）、左耳ケーシング（１９５−１）、右耳カップ（１９４）、右耳ケーシング（１９５−２）、ヘッドバンド（１８５）、スイッチとそのスイッチハウジング（１９１）、ノイズ低減伝達アーム（１９８）、ノイズ低減コンバーター（１９６）  、ハウジング（１９５−１）、スピーカーハウジング（１９０）、ノイズリダクション変換システムを備えたプラグ（１９３）：アクティブオーディオ信号からパッシブオーディオ信号に伝送を変換し、最初のマイクを有線に設定しますスピーカーを押すオーディオアンプの回路（図３２）、選択されたエアチューブの長さと直径によって回路が決定され、集音キャビティの大きな端がスピーカー（２０７）（２０８）の音声出口と小さな端は、マイクエアチューブ（１８８−１）（１８７−１）の一方の端にリベットで留められ、そのもう一方の端はｔ  ｏテーパー形状の音響空洞（２０３）の小端、音響空洞（２０３）が第２マイクロホン（２０４）の受音面に接続されている大端、エアチューブを介して２番目のマイクの受音面までのスピーカーは密閉されています。第２のマイクロフォンの他端は金属シールド線（１９２）の一端に配線され、他端はプラグ（１９３）の一端に接続され、プラグ（１９３）の他端は、通信装置のコンセントに接続されている。
【０２６６】
変換システムのアクティブ部には、電子回路基板（図３２）、電力回路およびその要素を供給するためのバッテリー、バッテリーに接続された充電回路および充電ソケット、電源ＬＥＤおよび電源スイッチ、前述の変換システムのアクティブな信号要素はすべてコンバーターに取り付けられ、変換システムのスピーカーは最初のマイクの中央、または左耳ハウジング内の音腔の外側に取り付けられます。（図３２）
【０２６７】
マイクロホンの信号伝送は、能動伝送から受動伝送に変換され、その後、再び能動伝送に復元され、これにより、空気管を非常に長く設定することができ、マイクロホンは、騒音低減を達成するために音響出口に非常に近い距離を保つ。  、そしてその間、通信デバイスの害から耳と脳を非常に強く保護します。
【０２６８】
左耳空気管（１８７−１）の一端は、音（２０９−１）を生成する音響空洞の入口に接続され、他方、他端は、集音器の小端に接続される。空洞（２０５）の大きな端部は、集音空洞がスピーカー（２０７）に接続され、その他端は、金属シールド線（１９２）に配線されている。右耳の空気管（１８８−１）の一端は、右空気管のもう一方の端が船外機に沿って左耳ケーシング（１９５−１）を通過するときに音を出す右音腔の入口に接続されています金属製ヘッドバンド（１８６）の左耳エアチューブ（１８７−１）がスピーカーケーシング（１９０）に平行で、右耳の集音キャビティ（２０６）の小さな端に接続され、そのもう一方の端が右耳スピーカー（２０８）の一端に接続され、右耳スピーカー（２０８）の他端はスイッチ（１９１）を介して金属シールド線（１９２）の一端に配線され、他端はそのうち、金属シールド線（１９２）はプラグ（１９３）に接続されている。
【０２６９】
３つの空気チューブは、並列に並んで接着され、外側の柔軟な材料で覆われている。
【０２７０】
実施形態  ３４
【０２７１】
上記のような安全なイヤホン
【０２７２】
この実施形態では、左右のラウドスピーカおよび第２のマイクロフォンは、同じ接続方法の実施形態３３でスイッチケーシングに取り付けられることを特徴とする。三角形の形；他の構造は、実施形態３３と同じままである。
【０２７３】
実施形態  ３５
【０２７４】
上記のような安全なイヤホン
【０２７５】
本実施形態は、スピーカーケーシングから斜めに引っ張られた右空気管を、金属製ヘッドバンドに沿って通過しない右耳音腔の入口に設定することを特徴とする。他の構造は、実施形態３３と同じままである。
【０２７６】
実施形態  ３６
【０２７７】
上記のような安全なイヤホン
【０２７８】
本実施形態における３本の空気管は、スイッチケーシングのＥ側から引き出され、左耳ケーシングの内側に接続されていることを特徴とする。他の構造は、実施形態３３と同じままである。
【０２７９】
実施形態  ３７
【０２８０】
上記のような安全なイヤホン
【０２８１】
モノ回路として使用される本実施形態のイヤヘッドフォンに対するノイズリダクションセーフは、左右の耳のスピーカーを１つの集音空洞により１つの音波伝達管に接続された１つのスピーカーにマージし、音波を接続することを特徴とする。左耳音腔のティーの入口への伝送管、前述のティーには、１つの出口が左耳音腔の入口に接続され、もう１つが１つの音波伝送管によって左耳音腔に接続された２つの出口があるヘッドバンド。
【０２８２】
実施形態  ３８
【０２８３】
上記のような安全なイヤホン
【０２８４】
その特徴は、本実施形態の耳モノラルヘッドフォンのノイズリダクションセーフは、ケーシング（２００−１）に取り付けられた柔軟なボウクリップ（１９９）、円形または他の形状のクランプピース２０１が取り付けられていることを特徴とする。弓クリップの終点。
【０２８５】
マイクロホン空気管（２０６）の一端は、変換器の集音空洞の小さい端に接続され、その大きい端は、集音空洞のスピーカーの音出口面に接続される。変換器のもう一方の端はテーパー形状の音響空洞（２０３−１）の小さな端に接続され、その大きな端は第２のマイクロホン（２０４−１）の受音面に接続され、第２のマイクロホン（２０４−１）の一端は金属シールド線（２０５）の一端に配線され、金属シールド線（２０５）の他端はプラグ（２０６）に接続される。
【０２８６】
左耳エアチューブ（２００−１）の一端は、ケーシング内部で音を生成する音空洞（図３３−２の構造、音空洞番号：２０９−２）の入口に接続されている。  （２００−１）、もう一方の端は集音キャビティ（２０５−１）の小さな端に接続され、その大きな端はスピーカー（２０７−１）の一方の端に接続されます。端は金属シールド線（２０５）の一端に配線され、金属シールド線（２０５）の他端はプラグ（２０６）に接続されます。ここで、マイク、左耳スピーカー、および集音空洞は音を分離するためのセパレータ。
【０２８７】
マイクロホンの信号伝送は、能動伝送から受動伝送に変換され、その後、再び能動伝送に復元され、これにより、空気管を非常に長く設定することができ、マイクロホンは、騒音低減を達成するために音響出口に非常に近い距離を保つ。  、そしてその間、通信デバイスの害から耳と脳を非常に強く保護します。
【０２８８】
実施形態  ３９
【０２８９】
上記のような安全なイヤホン
【０２９０】
本実施形態の騒音低減安全モノイヤフックイヤホンは、スリーインワンブラケット本体を備え、この本体には、その前面にイヤーフック（２１１）が設けられていることを特徴とする。は、変換システム（１９６−２）を端部に持つ騒音低減伝達アーム（１９８−２）であり、本体には、音腔のある耳栓（図３３−２の構造、音腔番号２０９−３）、イヤープラグの空気管（２１２）の一端は音響空洞（２０９−３）の入口に接続され、空気管（２１２）の他端は小端に接続されますスピーカー（２１４−１）が大きな端に取り付けられた集音キャビティ（２１２−１）のスピーカー（２１４−１）と第２のマイク（２１４−２）の両方は、スピーカーケース（  ２１４）相互の音の干渉を避けるため。変換システムおよびその他の回路接続方法および構造は、実施形態３８と同じである。
【０２９１】
実施形態  ４０
【０２９２】
上記のような安全なイヤホン
【０２９３】
ポータブルハンドヘルド安全ヘッドセットは、上部に音の空洞の一端である上部カバー（２２８）を備えた受信機の音の空洞（２１８）を有するハンドアーム（２３０）を備える。  ２１８）は、エアチューブ（２２０）の一端に接続され、エアチューブ（２２０）の他端は、集音キャビティの大きな端である集音キャビティ（２２２）の小さな端に接続されます（２２２）はスピーカー（２２４）に接続され、スピーカー（２２４）の接続線とマイク（２２３）の接続線はスイッチ（２３１）によって金属シールド線（２２６）に接続されます。ワイヤ（２２６）の端はプラグ（２２５）に接続されています。      
【０２９４】
スイッチ（２３１）は、携帯用ハンドヘルド安全ヘッドセットの中央の側面に設定され、スイッチ（２３１）のボタンは、リンクの機械的伝達により電気スイッチを操作して、スピーカーを切断または接続する。  （２２４）およびマイク（２２３）。
【０２９５】
実施形態  ４１
【０２９６】
上記のような安全なイヤホン
【０２９７】
本実施形態は、マイクロスイッチ（２３３）の長いアーム（２３２）を押し上げるスイッチのボタンの上部を使用して、マイクロスイッチ（２３３）、他の設定、および構造は実施形態４０と同じであるため、アクティブ回路は常に人間の脳から離れた位置に保たれ、マイクとスピーカーは本体の下にある互いに絶縁された２つの空洞に取り付けられています。マイクロホンは、セパレーターを通過した後、接着剤で密封されているため、配置により良好な耐放射線効果を達成できます。
【０２９８】
実施形態  ４２
【０２９９】
上記のような安全なイヤホン
【０３００】
ノイズ低減携帯用ハンドヘルド安全ヘッドセットの本体（２３０−１）の下部には、ノイズ低減マイク信号変換システムが提供される：アクティブオーディオ信号からパッシブオーディオ信号に伝送を変換する。  、および第２の音声増幅回路に配線された第１のマイクロホン（２３９）をスピーカー（２３８）を駆動するように設定し、スピーカー（２３８）の音出口は集音空洞（２３６）の大きな端に接続され、小さいその一端は、マイクロフォンエアチューブ（２４０）の一端にリベット留めされ、マイクロフォンエアチューブ（２４０）の他端は、テーパー形状の音響空洞（２４３）の小さな端部に接続され、端部は第２のマイクロフォンの受音面に接続され、マイクロフォンと第２のマイクロフォンの受音面との間の接続部は接続され、第２のマイクロフォン（２４３）のもう一方の端部は一方に配線されます金属市の終わりもう一方の端がプラグ（２４６）に接続されている、太線（２４５）。  
【０３０１】
変換システムのアクティブ部には、電力回路およびその要素に供給するためのバッテリー、バッテリーおよび充電ソケットおよびそのＬＥＤに接続される充電回路、スピーカー（２３８）および第１のマイクロホン（２３９）が設けられる。本体（２３０−１）内で互いに遮音される２つのキャビティに別々に取り付けられ、最初のマイクのワイヤはセパレータを通過した後、接着剤でシールされます。
【０３０２】
第２のマイクロホン（２４３）およびスピーカー（２４１）は、ケーシング（２３０−２）内に配置され、音響バッフルによって分離され、スピーカー（２４１）の受音面は、その大きな端に接続される。集音空洞（２４２）。その小さな端部はスピーカー（２４１）の空気管に接続されています。スピーカーのエアチューブのもう一方の端は、音の空洞（２８１−１）の一方の端に接続されています。スピーカー（２４１）は、金属シールド線（２４５）の一端に配線され、その他端はプラグ（２４６）に接続されている。
【０３０３】
実施形態  ４３
【０３０４】
上記のような安全なイヤホン
【０３０５】
本実施形態における騒音低減航空用オーバーイヤーセーフヘッドフォンは、革製のヘッドバンド、ステッチされたスチール製のヘッドボウ（２４７）、ヘッドボウ（２４７）、および調整可能なものを含む構造を備えることを特徴とする。ネジで固定されたブラケット（２５１）、調整可能なブラケット（２５１）と固定ブラケット（２５２）は自動ロックナットで固定され、固定ブラケット（２５２）はロックピラーを介して左耳ケーシング（２５３）に接続されます。右耳ケーシング（２５０）は、左耳ケーシング（２５３）と対称的かつ同じ方法で接続および固定されます。  
【０３０６】
第１の騒音低減マイクロホンは、可変ギアを備えたユニバーサルホース（２５５）に接続された騒音低減コンバータケーシング（２５４）に取り付けられ、左耳および右耳の音腔は耳ケーシングに配置され、エアチューブは、右側の音腔の（２５８）は、左耳ケーシングを通過し、鋼製の弓（２４７）に沿って右耳ケーシング内の音腔に接続されています。
【０３０７】
実施形態  ４４
【０３０８】
上記のような安全なイヤホン
【０３０９】
本実施形態は、スピーカーケーシング（２５６）が右耳ケーシングに斜めに引っ張られ、次にその中の音響空洞に引っ張られることを示すことである。他の構造は実施形態４３と同じである。
【０３１０】
実施形態  ４５
【０３１１】
上記のような安全なイヤホン
【０３１２】
異なる周波数応答を有する３つのスピーカー、異なる応答を有する３つの音波伝送チャネル、チャネルに接続された音室、および片耳または両耳の音波伝送チャネルのワイヤを別々に提供する。２つのイヤホンに可動鉄製スピーカー（１６６）（１７６）と可動コイルスピーカー（１６９）（１７８）が別々に設けられ、それぞれが集音キャビティ（  １６５）（１７５）および（１７８）（１７７）、集音空洞（１６５）（１７５）および（１７８）（１７７）は、エアチューブ（１６３）（１６４）および（  １７３）（１７４）平行端が耳栓（１６２）内の音腔（１６０）（１６１）と耳栓（１７２）内の音腔（１７０）（１７１）に個別に接続され、もう１組追加３つの異なるスピーカーを設定する。
【０３１３】
実施形態  ４６
【０３１４】
上記のような安全なイヤホン
【０３１５】
ステレオモデルは、超高音質の安全なイヤホンである。
【０３１６】
実施形態  ４７
【０３１７】
上記のような安全なイヤホン
【０３１８】
１つの耳または２つの耳に対して異なる周波数応答を有するいくつかのスピーカーを別々に提供するように設定することが、高音質のノイズ低減安全イヤホンである。
【０３１９】
実施形態  ４８
【０３２０】
上記のような安全なイヤホン
【０３２１】
本実施形態の安全なオーバーイヤーエアチューブヘッドフォンであり、長さが３００ｍｍであるエアチューブ（８６）（９２）に接続された２つの音響室を有し、オーディオケーブルは外部透明の層を使用することである。または不透明な金属シールド線で接地し、オーディオケーブルの一端をプラグ（９８）に接続し、もう一端をスピーカー（８８）に接続します。レシーバーのオーディオケーブルの一端（９６）  ）はプラグ（９８）にも接続され、もう一方の端はスピーカー（８８）（９４）から５０  ｍｍの距離に保たれたレシーバー（９６）に接続され、マイク（９６）にはハウジング（  ９６−１）。空気管１Ａの両端と集音空洞または音響空洞２Ａはすべて中空３Ａで固定されている。エアチューブは、耳に引っ掛けることができるベンド４Ａに設定されています。屈曲部４Ａの終点には、音響空洞を有する耳栓５Ａが設けられている。そして耳栓５Ａを耳に入れて聴きます。他の設定は、実施形態２４と同じである。
【０３２２】
上記の実施形態は、本発明を詳細に説明するためのものであり、本発明の範囲を限定するものではないことに留意されたい。本発明の範囲から逸脱することなく、当業者は、添付の特許請求の範囲によって定義される範囲内で様々な改善および修正を行うことができる。
【０３２３】
発明者は、実際の性能テストの後にうまく機能するサンプルを設計しました。
【産業上の利用可能性】
【０３２４】
ラジオで送信される電力は携帯電話の電力よりもはるかに大きく、ラジオ局で働く人は一日中ヘッドフォンを着用するため、放射を防ぐことが非常に必要です。本発明のノイズ低減抗放射線イヤホンは、アクティブ信号をパッシブ信号に変換して超高放射線耐性効果を達成することにより、空気管を１０００ｍｍ、または３０００〜７０００ｍｍの長さ、またはさらに長く設定することができる。放射は減衰距離の２乗に反比例するため、エアチューブの長さが長くなるため、耐放射線性能はその長さの２乗に比例して増加し、耐放射線性能が大幅に向上します。したがって、耐放射線性イヤホンは本当に必要です。
また、医療またはその他の機器の電磁場スキャン領域でリスニングまたはスピーキング用のイヤホンとして使用でき、電磁場スキャン領域での本発明のイヤホンの使用は、スキャン効果と品質に影響を与えません。したがって、良い効果が得られます。
また、イヤホンから使用場所近くのデバイスへの信号の干渉を防ぐためにも使用できます。
【手続補正２】
【補正対象書類名】特許請求の範囲
【補正対象項目名】全文
【補正方法】変更
【補正の内容】
【特許請求の範囲】
【請求項１】
聴覚フード（１９５、１９４）、聴覚フードシェル（１９５−１、１９５−２）、騒音低減伝送アーム（１９８）、騒音低減コンバーター（１９６）、およびスピーカーハウジング（１９０）とプラグ（１９３）を含み、聴覚フード（１９４、１９５）は聴覚フードシェル（１９５−１、１９５−２）に設けられ、騒音低減コンバーター（１９６）は騒音低減伝送アーム（１９８）を通して聴覚フードハウジング（１９５−１）に接続され、スピーカーハウジング（１９０）はエアダクト（１８７、１８８）を介して聴覚フードハウジング（１９５−１、１９５−２）に接続され、スピーカーハウジング（１９０）とプラグ（１９３）は、金属シールド絶縁ワイヤ（１９２）で接続され、
イヤホンにはノイズリダクション変換システムが装備されており、ノイズリダクション変換システムには、ノイズリダクションマイク（３２−１）のアクティブオーディオ信号をパッシブオーディオ信号送信にし、スピーカー（３２−２）を押すために、一次マイク（３２−１）のリード線を設置され、二次または三次オーディオ増幅回路チップに繋がり、
一次マイクロホン（３２−１）は、ノイズ低減コンバーター（１９６）の二次または三次オーディオ増幅回路に接続され、スピーカーはノイズ低減伝送アーム（１９８）の中央に設けられ、
スピーカー（３２−２）のアーティキュレーションポートは音響コンセントレーターの大端に接続され、音響コンセントレーターの小端はリベットを介してマイクエアダクト（１８９−１）の一端に接続され、一端がホーンアクセントキャビティ（２０３）の小端に接続され、ホーンアクセントキャビティ（２０３）の大端が二次マイク（２０４）の受信面に接続され、空気がスピーカー（３２−２）の発音ポートから送られ、コンジット（１８９−１）から二次マイク（２０４）の受信面への接続は密閉され、セカンダリマイク（２０４）のもう一方の端は金属シールドされた絶縁ワイヤ（１９２）の一端に接続され、金属シールドは絶縁され、オフライン（１９２）の他端はプラグ（１９３）の一端に接続され、プラグ（１９３）の他端は通信機のソケットに接続される
ことを特徴とする安全なイヤホン。
【請求項２】
音響空洞（２０９−１）を備え、音響空洞（２０９−１）と音波集中器（２０５、２０６）の小端部がエアダクト（１８７−１、１８８−１）で接続されている
請求項１に記載の安全なイヤホン。
【請求項３】
イヤーフックをさらに備える
請求項２に記載の安全なイヤホン。
【請求項４】
前記聴覚フードは、左耳聴覚フード（１９５）および右耳聴覚フード（１９４）を備え、前記聴覚フードシェルは、左耳シェル（１９５−１）および右耳シェル（１９５−２）を備え、イヤーシェル（１９５−２）、左耳の聴覚フード（１９５）は左耳のシェル（１９５−１）に、右耳の聴覚フード（１９４）は右耳のシェル（１９５−２）に設けられ、左耳シェル（１９５−１）と右耳シェル（１９５−２）はヘッドバンド（１８５）で接続されている
請求項２に記載の安全なイヤホン。
【請求項５】
左耳シェル（１９５−１）と右耳シェル（１９５−２）の間にさらに金属製の弓（１８６）が接続される
請求項４に記載の安全なイヤホン。
【請求項６】
発音腔には左耳腔と右耳腔が含まれ、前記左耳の音腔の横にティーが設けられ、前記ティーは、入口と、  スピーカーハウジングにはスピーカーとサウンドコンセントレーターの２つのコンセントがあり、１つのスピーカーは１つのサウンドコンセントレーターに接続され、１つのサウンドコンセントレーターは左耳のエアダクトを介してスピーカーに接続され、ティーの入口、ティーの一方の出口は左耳の音腔に接続され、ティーのもう一方の出口は右耳の空気ダクトを通る金属の弓を介して右耳の音腔に接続される
請求項５に記載の安全なイヤホン。
【請求項７】
左耳聴覚カバー（１９５）、左耳シェル（１９５−１）、音腔カバー（１９５−３）、右耳聴覚カバー（１９４）、右耳シェル（１９５−２）、ヘッドバンド（１８５）、スイッチおよびスイッチハウジング（１９１）、ノイズリダクショントランスミッションアーム（１９８）、ノイズリダクションコンバーター（１９６）、ハウジング、スピーカーハウジング（１９０）、プラグ（１９３）を含むこと；ノイズリダクション変換システムを設置します：ノイズリダクション一次マイク（３２−１）、アクティブオーディオ信号はパッシブオーディオ信号の送信に変換され、マイク（３２−１）リードは二次または三次オーディオ増幅を接続するように設定回路チップはスピーカー（３２−２）を押し、回路は、選択されたマイクのエアダクトの長さと直径に基づいており、一次マイクと二次マイクまたはその他のチップが選択され、スピーカー（３２−２）の発音ポートは、音響波コンセントレータの大端に接続され、音響コンセントレータの小さい端は、リベットを介してマイクエアダクト（１８９−１）の一端に接続され、マイクエアダクト（１８９−１）の他端は、ホーンアクセントキャビティ（２０３）、およびホーンアクセントキャビティ（２０３）の小さい端に接続され、大きい方の端は、２次マイク（２０４）の受信面に接続され、エアダクト（１８９−１）を介した二次マイク（２０４）の受信面へのスピーカー（２３−２）のサウンドマウスの接続は密閉され、二次マイク（２０４）のもう一方の端は金属シールド絶縁ワイヤに接続されます（１９２）の一端、金属シールド絶縁ワイヤ（１９２）の他端はプラグ（１９３）の一端に接続され、プラグ（１９３）の他端は通信機のソケットに接続される
請求項４に記載の安全なイヤホン。
【請求項８】
左耳音腔および右耳音腔をさらに備え、左耳音腔および左耳音波集束器の小端部が左を通過し、左耳のエアダクト（１８７−１）が接続され、右耳の音腔と右耳の音響波コンセントレータ（２０６）の小端が右耳のエアダクト（１８８−１）を介して接続されます；右耳のエアダクト（１８８  −１）金属製の弓（１８６）の外側に沿って左耳シェル（１９５−１）を通過した後、右耳音響波コンセントレータ（２０６）の小さな端に接続される
請求項７に記載の安全なイヤホン。
【請求項９】
ホーンアクセント空洞の周囲の斜辺エッジまたは弧または曲線の２つペアのうち、斜辺エッジの各ペアが逆ラッパ形状を形成し、斜辺エッジまたはアークの各ペアを形成し、線または曲線の組み合わせによって形成される挟角は９°から１３０°であり；トランペットアクセントキャビティの周囲は弧状の逆ラッパ形状です；またはトランペットアクセントキャビティの周囲は斜めの逆トランペットであり、またはトランペットアクセントキャビティの周囲は、湾曲した逆ラッパ形状であり、または、トランペットアクセントキャビティの周囲は、弧または湾曲した逆ラッパ形状と斜めの逆ラッパ形状で構成されている
請求項７に記載の安全なイヤホン。
【請求項１０】
ミニチュアスピーカーとマイクロフォンがスイッチに接続され、次に金属シールド絶縁ワイヤーに接続され、左右の耳のスピーカー、左右の耳の音波集中器、および二次マイクが接続されて、スイッチケースにセットする
請求項７に記載の安全なイヤホン。
【請求項１１】
ポータブルアーム（２３０）、音響空洞（２１８）、空気ダクト（２２０）、音波コンセントレータ（２２２）、スピーカー（２２４）、マイク（２２３）、スイッチ（２３１）、金属シールド絶縁ワイヤ（２２６）およびプラグ（２２５）を含み、ポータブルアーム（２３０）の上端にはレシーバーサウンドキャビティ（２１８）が、サウンドキャビティ（２１８）のエンドカバーには上部カバー（２２８）があり、音響空洞（２１８）の他端は、空気ダクト（２２０）の一端に接続され、空気ダクト（２２０）の他端は、音波コンセントレータ（２２２）の小端に接続され、ビッグエンドはスピーカー（２２４）に接続され、スピーカー（２２４）接続ラインとマイク（２２３）接続ラインは、スイッチ（２３１）、金属シールド分離ライン（２２６）を介して金属シールド絶縁ワイヤ（２２６）に接続され、金属シールド絶縁ワイヤもう一方の端にプラグ（２２５）を繋がる
ことを特徴とする安全なイヤホン。
【請求項１２】
スイッチはイヤホンの中央部の側面に設けられ、スイッチのノブは、リンケージ機械式変速機によって操作されてスピーカーとマイク（２２３）のオン／オフを切り替える
請求項１１に記載の安全なイヤホン。
【請求項１３】
スイッチのノブでマイクロスイッチの長いアームを押して、マイクロスイッチをオンまたはオフにする
請求項１に記載の安全なイヤホン。
【請求項１４】
ノイズ低減ポータブル安全なイヤホンの特徴とは、イヤホンが、本体ケーシング（２３０−１）、スピーカー（２３８）、音波コンセントレーター（２３６）、スピーカーアクセント空洞（２４２）、および二次マイクロホン（２４３）、金属シールド絶縁ワイヤ（２４５）およびプラグ（２４６）を含み、
本体ケーシング（２３０−１）の下部には、ノイズ低減マイク信号変換システムが装備され、アクティブオーディオ信号はパッシブオーディオ信号伝送に変換され、一次マイク（２３９）のリード線はスピーカーを促進するために二次オーディオ増幅回路に接続されます（２３８）；
スピーカー（２３８）の関節ポートは音響コンセントレーター（２３６）の大端に接続され、音響コンセントレーター（２３６）の小端はリベットを介して送信空気ダクト（２４０）の一端に接続され、マイク空気ダクト（２４０）の他端は、トランペットアクセント空洞（２４２）の小端に接続され、トランペットアクセント空洞（２４２）の大端は、二次マイクロホン（２４３）の受信面に接続され、エアダクト（２４０）を介した（２３８）の発音アクセントキャビティの２次マイク（２４３）の受信面への接続は密閉され、２次マイク（２４３）の他端は金属シールドに接続され、オフラインの一端（２４５）、および金属シールドされた絶縁ワイヤ（２４５）の他端は、プラグ（２４６）に接続される
ことを特徴とする安全なイヤホン。
【国際調査報告】
2020521412.tif 000056
2020521412.tif 000057
2020521412.tif 000058
2020521412.tif 000059
2020521412.tif 000060
2020521412.tif 000061